(57)【要約】  本出願の実施形態は、測定ギャップのアクティブ化を低減し、それにより、端末デバイスのデータ受信およびデータ送信を低減するために、基準信号処理方法、ネットワークデバイス、および端末デバイスを開示する。本出願の実施形態において提供される基準信号処理方法は、ネットワークデバイスにより、端末デバイス用に構成された被測定基準信号、および端末デバイス用に構成された少なくとも1つの帯域幅部分BWPを決定するステップであって、基準信号の周波数領域位置が少なくとも1つのBWPの帯域幅範囲内にある、ステップと、ネットワークデバイスにより、被測定基準信号に基づいて基準信号構成情報を生成し、少なくとも1つのBWPに基づいてBWP構成情報を生成するステップと、ネットワークデバイスにより、基準信号構成情報およびBWP構成情報を端末デバイスに送信するステップとを含む。
2021503782.tif 000002
【特許請求の範囲】
【請求項１】
測定構成方法であって、
端末デバイスにより、基準信号構成、測定評価パラメータ、および測定トリガ情報を受信するステップであって、前記測定評価パラメータが、以下の情報：報告される必要がある測定量（M）および測定イベントをトリガするための測定量（T）の1つまたは組合せを備え、前記測定トリガ情報が、イベントトリガ情報または周期的な測定構成情報を備える、ステップと、
前記端末デバイスにより、前記基準信号構成、前記測定評価パラメータ、および前記測定トリガ情報に基づいて、測定および報告を実行するステップと
を備え、
測定および報告を実行する前記ステップが、
前記端末デバイスにより、報告される必要がある前記測定量（M）、または測定イベントをトリガするための前記測定量（T）に基づいて、セル内のビームをソートおよび報告するステップ
を備える、測定構成方法。
【請求項２】
前記端末デバイスにより、報告される必要がある前記測定量（M）、または測定イベントをトリガするための前記測定量（T）に基づいて、セル内のビームをソートおよび報告する前記ステップが、
前記端末デバイスにより、報告される必要がある前記測定量（M）に基づいて、前記セル内の前記ビームをソートするステップと、
ソーティング結果に基づいてビームセットを報告するステップと
を備える、請求項1に記載の方法。
【請求項３】
前記端末デバイスにより、報告される必要がある前記測定量（M）に基づいて、前記セル内の前記ビームをソートする前記ステップが、
前記端末デバイスが、前記報告された測定量がただ1つの測定量を備えると判断した場合、前記端末デバイスにより、前記測定量に基づいてビームソーティングを実行し、ビームソーティング結果に基づいて前記報告されるべきビームセットを決定するステップ
を備える、請求項2に記載の方法。
【請求項４】
前記端末デバイスにより、報告される必要がある前記測定量（M）、または測定イベントをトリガするための前記測定量（T）に基づいて、セル内のビームをソートおよび報告する前記ステップが、
前記端末デバイスにより、イベントをトリガするための前記測定量（T）に基づいて、前記セル内の前記ビームをソートするステップと、
ソーティング結果に基づいてビームセットを報告するステップと
を備える、請求項1から3のいずれか一項に記載の方法。
【請求項５】
前記端末デバイスにより、イベントをトリガするための前記測定量（T）に基づいて、前記セル内の前記ビームをソートする前記ステップが、
イベントトリガ測定結果について、前記端末デバイスにより、測定トリガ量に基づいて報告されるべきビームをソートするステップ
を備える、請求項4に記載の方法。
【請求項６】
測定および報告を実行する前記ステップが、
前記端末デバイスにより、報告されたビームのしきい値Hおよび最大量Xに基づいて、前記しきい値Hより大きく、その量がX以下であるビームを報告するステップ
を備える、請求項1から5のいずれか一項に記載の方法。
【請求項７】
測定構成方法であって、
ネットワークデバイスにより、端末デバイス用の基準信号構成、測定評価パラメータ、および測定トリガ情報を構成するステップであって、前記測定評価パラメータが、以下の情報：報告される必要がある測定量（M）および測定イベントをトリガするための測定量（T）の1つまたは組合せを備え、前記測定トリガ情報が、イベントトリガ情報または周期的な測定構成情報を備える、ステップと、
前記ネットワークデバイスにより、前記端末デバイスによって報告された情報を受信するステップであって、前記報告された情報が、報告される必要がある前記測定量（M）、または測定イベントをトリガするための前記測定量（T）に基づいてセル内のビームがソートされた後に取得される、ステップと
を備える、測定構成方法。
【請求項８】
前記報告された測定量（M）がただ1つの測定量を備える、請求項7に記載の方法。
【請求項９】
前記報告された情報が、しきい値Hより大きく、その量がX以下であるビームに関する情報を備える、
請求項7または8に記載の方法。
【請求項１０】
端末デバイスであって、前記端末デバイスがプロセッサおよびメモリを備え、
前記メモリが、命令を記憶するように構成され、
前記プロセッサが、請求項1から6のいずれか一項に記載の方法を実行するために、前記メモリ内の前記命令を実行するように構成される、
端末デバイス。
【請求項１１】
ネットワークデバイスであって、前記ネットワークデバイスがプロセッサおよびメモリを備え、
前記メモリが、命令を記憶するように構成され、
前記プロセッサが、請求項7から9のいずれか一項に記載の方法を実行するために、前記メモリ内の前記命令を実行するように構成される、
ネットワークデバイス。
【請求項１２】
請求項10に記載の端末デバイスと、請求項11に記載のネットワークデバイスとを備える、通信システム。
【請求項１３】
命令を備えるコンピュータ可読記憶媒体であって、前記命令がコンピュータ上で実行されると、前記コンピュータが請求項1から6のいずれか一項に記載の方法を実行する、コンピュータ可読記憶媒体。
【請求項１４】
命令を備えるコンピュータ可読記憶媒体であって、前記命令がコンピュータ上で実行されると、前記コンピュータが請求項7から9のいずれか一項に記載の方法を実行する、コンピュータ可読記憶媒体。
【請求項１５】
ネットワークデバイスにより、端末デバイス用に構成された被測定基準信号、および前記端末デバイス用に構成された少なくとも1つの帯域幅部分BWPを決定するステップであって、前記基準信号の周波数領域位置が前記少なくとも1つのBWPの帯域幅範囲内にある、ステップと、
前記ネットワークデバイスにより、前記被測定基準信号に基づいて基準信号構成情報を生成し、前記少なくとも1つのBWPに基づいてBWP構成情報を生成するステップと、
前記ネットワークデバイスにより、前記基準信号構成情報および前記BWP構成情報を前記端末デバイスに送信するステップと
を備える、基準信号処理方法。
【請求項１６】
前記方法が、
前記ネットワークデバイスにより、前記端末デバイス用に構成された第1のギャップの周期および前記第1のギャップのオフセットを決定するステップであって、前記第1のギャップが前記基準信号を送信するために前記ネットワークデバイスによって使用される、ステップと、
前記ネットワークデバイスにより、ギャップ構成情報を前記端末デバイスに送信するステップであって、前記ギャップ構成情報が前記第1のギャップの前記周期および前記第1のギャップの前記オフセットを備える、ステップと
をさらに備える、請求項15に記載の方法。
【請求項１７】
前記方法が、
前記ネットワークデバイスにより、前記第1のギャップの前記周期および前記第1のギャップの前記オフセットに基づいて前記第1のギャップの開始時間を計算するステップと、
前記ネットワークデバイスにより、前記第1のギャップの前記開始時間および前記第1のギャップの長さに基づいて前記第1のギャップの持続時間を計算するステップと、
前記ネットワークデバイスにより、前記基準信号の前記周波数領域位置が前記第1のギャップの前記持続時間内でアクティブなBWPの帯域幅範囲内にあるかどうかを判定するステップと、
前記基準信号の前記周波数領域位置が前記第1のギャップの前記持続時間内で前記アクティブなBWPの前記帯域幅範囲内にある場合、前記ネットワークデバイスにより、前記第1のギャップを非アクティブ化することを決定するステップと
をさらに備える、請求項16に記載の方法。
【請求項１８】
前記基準信号構成情報が、以下のパラメータ：前記基準信号のタイプパラメータ、前記基準信号の周期パラメータ、および前記基準信号の周波数領域位置パラメータのうちの少なくとも1つを備える、請求項15に記載の方法。
【請求項１９】
前記BWP構成情報が、前記少なくとも1つのBWPの周波数情報および前記少なくとも1つのBWPの帯域幅情報を備える、請求項15に記載の方法。
【請求項２０】
前記BWP構成情報が、前記基準信号と前記少なくとも1つのBWPとの間の対応関係を備える、請求項15に記載の方法。
【請求項２１】
前記BWP構成情報が前記BWPのアクティブ化時間情報を備え、
前記BWPの前記アクティブ化時間情報が、以下のパラメータ：前記少なくとも1つのBWPのアクティブ化時間周期および前記少なくとも1つのBWPのアクティブ化時間オフセットのうちの少なくとも1つを備える、
請求項15に記載の方法。
【請求項２２】
前記方法が、
前記ネットワークデバイスにより、前記少なくとも1つのBWPの前記アクティブ化時間周期および前記少なくとも1つのBWPの前記アクティブ化時間オフセットに基づいて、前記少なくとも1つのBWPの開始時間を計算するステップと、
前記ネットワークデバイスにより、前記少なくとも1つのBWPの前記開始時間および前記少なくとも1つのBWPのアクティブ化時間長に基づいて、前記少なくとも1つのBWPのアクティブ化持続時間を決定するステップであって、前記少なくとも1つのBWPの前記アクティブ化持続時間が、前記ネットワークデバイスと前記端末デバイスとの間のデータ送信に使用される、ステップと
をさらに備える、請求項21に記載の方法。
【請求項２３】
基準信号処理方法であって、前記方法が、
端末デバイスにより、ネットワークデバイスによって送信された基準信号構成情報および帯域幅部分BWP構成情報を取得するステップと、
前記端末デバイスにより、前記基準信号構成情報に基づいて被測定基準信号を特定し、前記BWP構成情報に基づいて、前記端末デバイス用に構成されたBWPを特定するステップと、
前記端末デバイスにより、前記基準信号に基づいてセルの品質を取得するステップであって、前記端末デバイス用に構成された前記BWPが前記セルに属する、ステップと
を備える、方法。
【請求項２４】
前記方法が、
前記端末デバイスにより、前記ネットワークデバイスによって送信されたギャップ構成情報を取得するステップであって、前記ギャップ構成情報が、第1のギャップの周期情報および前記第1のギャップのオフセット情報を備える、ステップと、
前記端末デバイスにより、前記第1のギャップの前記周期情報および前記第1のギャップの前記オフセット情報に基づいて、前記第1のギャップの持続時間を特定するステップと
をさらに備える、請求項23に記載の方法。
【請求項２５】
前記端末デバイスにより、前記基準信号に基づいてセルの品質を取得する前記ステップが、
前記端末デバイスにより、アクティブなBWPを特定するステップであって、前記アクティブなBWPが、前記端末デバイス用に構成されたBWPの中の1つまたは複数のBWPである、ステップと、
前記端末デバイスが前記第1のギャップの前記持続時間を特定した後、前記端末デバイスにより、前記基準信号の周波数領域位置が前記アクティブなBWPの帯域幅範囲内にあるかどうかを判定するステップと、
前記基準信号の前記周波数領域位置が前記アクティブなBWPの前記帯域幅範囲内にある場合、前記端末デバイスにより、前記第1のギャップを非アクティブ化し、前記アクティブなBWPに対応する前記基準信号に基づいて前記セルの前記品質を取得するステップと
を備える、請求項24に記載の方法。
【請求項２６】
前記端末デバイスにより、前記基準信号の周波数領域位置が前記アクティブなBWPの帯域幅範囲内にあるかどうかを判定する前記ステップの後、前記方法が、
前記基準信号の前記周波数領域位置が前記アクティブなBWPの前記帯域幅範囲内にない場合、前記端末デバイスにより、前記第1のギャップをアクティブ化し、前記アクティブ化された第1のギャップ内にあり、前記基準信号に対応する前記セルの前記品質を取得するステップ
をさらに備える、請求項25に記載の方法。
【請求項２７】
前記BWP構成情報が前記BWPのアクティブ化時間情報をさらに備え、前記BWPの前記アクティブ化時間情報が、前記端末デバイス用に構成された前記BWPのアクティブ化時間周期および前記端末デバイス用に構成された前記BWPのアクティブ化時間オフセットを備え、
前記端末デバイスにより、前記基準信号に基づいてセルの品質を取得する前記ステップであって、前記端末デバイス用に構成された前記BWPが前記セルに属する、前記ステップが、
前記端末デバイスにより、前記端末デバイス用に構成された前記BWPの前記アクティブ化時間周期および前記端末デバイス用に構成された前記BWPの前記アクティブ化時間オフセットに基づいて、前記端末デバイス用に構成された前記BWPの開始時間を特定するステップと、
前記端末デバイスにより、前記端末デバイス用に構成された前記BWPの前記開始時間から、前記端末デバイス用に構成されたアクティブ化時間長内にあり、前記基準信号に対応する前記セルの前記品質を取得するステップと
を備える、請求項23に記載の方法。
【請求項２８】
前記アクティブ化時間長が前記BWPの前記アクティブ化時間情報に含まれるか、または前記アクティブ化時間長が前記端末デバイスによってローカルに構成される、請求項27に記載の方法。
【請求項２９】
前記BWP構成情報が、BWPの数がNであり、Nが2以上であり、前記N個のBWPの各々の帯域幅が構成された被測定基準信号を備えることをさらに備え、前記端末デバイスにより、前記基準信号に基づいてセルの品質を取得する前記ステップが、
前記端末デバイスにより、測定期間内に、サンプリング時点でアクティブ化されたBWPの帯域幅範囲内の基準信号に対応するM個のサンプリング結果を取得するステップであって、Mが正の整数である、ステップと、
前記端末デバイスにより、前記M個のサンプリング結果に基づいて前記セルの前記品質を計算するステップと
を備える、請求項23に記載の方法。
【請求項３０】
前記端末デバイスにより、前記M個のサンプリング結果に基づいて前記セルの前記品質を計算する前記ステップが、
前記端末デバイスにより、前記M個のサンプリング結果からH個のサンプリング結果を抽出するステップであって、HがMより小さく、前記H個のサンプリング結果が、第1のBWPに対応する基準信号をサンプリングすることによって取得されたサンプリング結果であり、前記第1のBWPがデフォルトのBWPまたは最初のBWPである、ステップと、
前記端末デバイスにより、前記H個のサンプリング結果に基づいて前記セルの前記品質を計算するステップと
を備える、請求項29に記載の方法。
【請求項３１】
端末デバイス用に構成された被測定基準信号、および前記端末デバイス用に構成された少なくとも1つの帯域幅部分BWPを決定するように構成された処理モジュールであって、前記基準信号の周波数領域位置が前記少なくとも1つのBWPの帯域幅範囲内にあり、
前記処理モジュールが、前記被測定基準信号に基づいて基準信号構成情報を生成し、前記少なくとも1つのBWPに基づいてBWP構成情報を生成するようにさらに構成される、処理モジュールと、
前記基準信号構成情報および前記BWP構成情報を前記端末デバイスに送信するように構成された送信モジュールと
を備える、ネットワークデバイス。
【請求項３２】
前記処理モジュールが、前記端末デバイス用に構成された第1のギャップの周期および前記第1のギャップのオフセットを決定するようにさらに構成され、前記第1のギャップが前記基準信号を送信するために前記ネットワークデバイスによって使用され、
前記送信モジュールが、ギャップ構成情報を前記端末デバイスに送信するようにさらに構成され、前記ギャップ構成情報が前記第1のギャップの前記周期および前記第1のギャップの前記オフセットを備える、
請求項31に記載のネットワークデバイス。
【請求項３３】
前記処理モジュールが、前記第1のギャップの前記周期および前記第1のギャップの前記オフセットに基づいて前記第1のギャップの開始時間を計算することと、前記第1のギャップの前記開始時間および前記第1のギャップの長さに基づいて前記第1のギャップの持続時間を計算することと、前記基準信号の前記周波数領域位置が前記第1のギャップの前記持続時間内でアクティブなBWPの帯域幅範囲内にあるかどうかを判定することと、前記基準信号の前記周波数領域位置が前記第1のギャップの前記持続時間内で前記アクティブなBWPの前記帯域幅範囲内にある場合、前記第1のギャップを非アクティブ化することを決定することとを行うように構成される、請求項32に記載のネットワークデバイス。
【請求項３４】
前記基準信号構成情報が、以下のパラメータ：前記基準信号のタイプパラメータ、前記基準信号の周期パラメータ、および前記基準信号の周波数領域位置パラメータのうちの少なくとも1つを備える、請求項31に記載のネットワークデバイス。
【請求項３５】
前記BWP構成情報が、前記少なくとも1つのBWPの周波数情報および前記少なくとも1つのBWPの帯域幅情報を備える、請求項31に記載のネットワークデバイス。
【請求項３６】
前記BWP構成情報が、前記基準信号と前記少なくとも1つのBWPとの間の対応関係を備える、請求項31に記載のネットワークデバイス。
【請求項３７】
前記BWP構成情報が前記BWPのアクティブ化時間情報を備え、
前記BWPの前記アクティブ化時間情報が、以下のパラメータ：前記少なくとも1つのBWPのアクティブ化時間周期および前記少なくとも1つのBWPのアクティブ化時間オフセットのうちの少なくとも1つを備える、
請求項31に記載のネットワークデバイス。
【請求項３８】
前記処理モジュールが、前記少なくとも1つのBWPの前記アクティブ化時間周期および前記少なくとも1つのBWPの前記アクティブ化時間オフセットに基づいて、前記少なくとも1つのBWPの開始時間を計算するようにさらに構成され、
前記処理モジュールが、前記少なくとも1つのBWPの前記開始時間および前記少なくとも1つのBWPのアクティブ化時間長に基づいて、前記少なくとも1つのBWPのアクティブ化持続時間を決定するようにさらに構成され、前記少なくとも1つのBWPの前記アクティブ化持続時間が、前記ネットワークデバイスと前記端末デバイスとの間のデータ送信に使用される、
請求項37に記載のネットワークデバイス。
【請求項３９】
端末デバイスであって、前記端末デバイスが、
ネットワークデバイスによって送信された基準信号構成情報および帯域幅部分BWP構成情報を取得するように構成された受信モジュールと、
前記基準信号構成情報に基づいて被測定基準信号を特定し、前記BWP構成情報に基づいて、前記端末デバイス用に構成されたBWPを特定するように構成された処理モジュールと
を備え、
前記処理モジュールが、前記基準信号に基づいてセルの品質を取得するように構成され、前記端末デバイス用に構成された前記BWPが前記セルに属する、
端末デバイス。
【請求項４０】
前記受信モジュールが、前記ネットワークデバイスによって送信されたギャップ構成情報を取得するようにさらに構成され、前記ギャップ構成情報が、第1のギャップの周期情報および前記第1のギャップのオフセット情報を備え、
前記処理モジュールが、前記第1のギャップの前記周期情報および前記第1のギャップの前記オフセット情報に基づいて、前記第1のギャップの持続時間を特定するようにさらに構成される、
請求項39に記載の端末デバイス。
【請求項４１】
前記処理モジュールが、アクティブなBWPを特定することであって、前記アクティブなBWPが、前記端末デバイス用に構成されたBWPの中の1つまたは複数のBWPである、特定することと、前記端末デバイスが前記第1のギャップの前記持続時間を特定した後、前記基準信号の周波数領域位置が前記アクティブなBWPの帯域幅範囲内にあるかどうかを判定することと、前記基準信号の前記周波数領域位置が前記アクティブなBWPの前記帯域幅範囲内にある場合、前記第1のギャップを非アクティブ化し、前記アクティブなBWPに対応する前記基準信号に基づいて前記セルの前記品質を取得することとを行うように構成される、請求項40に記載の端末デバイス。
【請求項４２】
前記基準信号の前記周波数領域位置が前記アクティブなBWPの前記帯域幅範囲内にあるかどうかを判定した後、前記処理モジュールが、前記基準信号の前記周波数領域位置が前記アクティブなBWPの前記帯域幅範囲内にない場合、前記第1のギャップをアクティブ化し、前記アクティブ化された第1のギャップ内にあり、前記基準信号に対応する前記セルの前記品質を取得するように構成される、請求項41に記載の端末デバイス。
【請求項４３】
前記BWP構成情報が前記BWPのアクティブ化時間情報をさらに備え、前記BWPの前記アクティブ化時間情報が、前記端末デバイス用に構成された前記BWPのアクティブ化時間周期および前記端末デバイス用に構成された前記BWPのアクティブ化時間オフセットを備え、
前記処理モジュールが、前記端末デバイス用に構成された前記BWPの前記アクティブ化時間周期および前記端末デバイス用に構成された前記BWPの前記アクティブ化時間オフセットに基づいて、前記端末デバイス用に構成された前記BWPの開始時間を特定することと、前記端末デバイス用に構成された前記BWPの前記開始時間から、前記端末デバイス用に構成されたアクティブ化時間長内にあり、前記基準信号に対応する前記セルの前記品質を取得することとを行うように構成される、
請求項39に記載の端末デバイス。
【請求項４４】
前記アクティブ化時間長が前記BWPの前記アクティブ化時間情報に含まれるか、または前記アクティブ化時間長が前記端末デバイスによってローカルに構成される、請求項43に記載の端末デバイス。
【請求項４５】
前記BWP構成情報が、BWPの数がNであり、Nが2以上であり、前記N個のBWPの各々の帯域幅が構成された被測定基準信号を備えることをさらに備え、
前記処理モジュールが、具体的に、測定期間内に、サンプリング時点でアクティブ化されたBWPの帯域幅範囲内の基準信号に対応するM個のサンプリング結果を取得することであって、Mが正の整数である、取得することと、前記M個のサンプリング結果に基づいて前記セルの前記品質を計算することとを行うように構成される、
請求項39に記載の端末デバイス。
【請求項４６】
前記処理モジュールが、前記M個のサンプリング結果からH個のサンプリング結果を抽出することであって、HがMより小さく、前記H個のサンプリング結果が、第1のBWPに対応する基準信号をサンプリングすることによって取得されたサンプリング結果であり、前記第1のBWPがデフォルトのBWPまたは最初のBWPである、抽出することと、前記H個のサンプリング結果に基づいて前記セルの前記品質を計算することとを行うように構成される、請求項45に記載の端末デバイス。
【請求項４７】
ネットワークデバイスであって、前記ネットワークデバイスがプロセッサおよびメモリを備え、
前記メモリが、命令を記憶するように構成され、
前記プロセッサが、請求項15から22のいずれか一項に記載の方法を実行するために、前記メモリ内の前記命令を実行するように構成される、
ネットワークデバイス。
【請求項４８】
端末デバイスであって、前記端末デバイスがプロセッサおよびメモリを備え、
前記メモリが、命令を記憶するように構成され、
前記プロセッサが、請求項23から30のいずれか一項に記載の方法を実行するために、前記メモリ内の前記命令を実行するように構成される、
端末デバイス。
【請求項４９】
命令を備えるコンピュータ可読記憶媒体であって、前記命令がコンピュータ上で実行されると、前記コンピュータが請求項15から22または請求項23から30のいずれか一項に記載の方法を実行する、コンピュータ可読記憶媒体。
【請求項５０】
命令を備えるコンピュータプログラム製品であって、前記命令がコンピュータ上で実行されると、前記コンピュータが請求項15から22または請求項23から30のいずれか一項に記載の方法を実行する、コンピュータプログラム製品。
【発明の詳細な説明】
【技術分野】
【０００１】
本出願は、参照によりその全体が本明細書に組み込まれる、2017年11月16日に中国特許庁に出願され、「REFERENCE SIGNAL PROCESSING METHOD，NETWORK DEVICE，AND TERMINAL DEVICE」と題する、中国特許出願第201711140824．9号の優先権を主張する。
【０００２】
本出願は、通信技術の分野に関し、詳細には、基準信号処理方法、ネットワークデバイス、および端末デバイスに関する。
【背景技術】
【０００３】
現在、第5世代（5th−Generation、5G）のモバイル通信技術に関する説明では、2つのタイプの基準信号：同期信号（Synchronization Signal、SS）およびチャネル状態情報基準シンボル（Channel State Information−Reference Symbol、CSI−RS）が存在する。SSはセルの同期信号であり、UEは、同期信号の測定に基づいてセルの測定品質を取得することができる。CSI−RSはUE用に構成された基準信号であり、UEは、CSI−RSの測定に基づいてセルの品質を取得することもできる。
【０００４】
5Gシステムでは、同期信号が送信されるとき、高周波マルチビーム送信が考慮される必要がある。同期信号送信のための同期信号設定周期（set periodicity）が存在する。1つの同期信号設定周期は複数の同期信号バーストを含み、各同期信号バーストは複数の同期信号ブロックを含む。複数のビームがセル内で送信される必要があるとき、1つのビームは各同期信号ブロック内で送信されてよく、すべてのビームは1つの同期信号設定周期内で完全に送信される。
【０００５】
送信端が同期信号を送信した後、アイドルモードのUEはSSに基づいて測定を実行することができ、接続モードのUEもSSに基づいて測定を実行することができる。SSに基づいて測定を実行することに加えて、接続モードのUEは、CSI−RSに基づいて測定を実行することもできる。しかしながら、CSI−RSを測定するために、UEは最初にセルの同期情報を取得する必要がある。そうでない場合、CSI−RSの発生位置を知ることが不可能であり、CSI−RSの測定に失敗する。
【０００６】
従来技術では、ユーザ機器（User Equipment、UE）が周波数間測定を実行するとき、測定ギャップ（GAP）が構成される必要がある。測定ギャップでは、以下の構成が必要である：現在の動作周波数は割り込み状態にある。同時に2つの周波数上での動作をサポートしないUEの場合、UEが非動作周波数上で測定を実行する必要がある場合、動作周波数は中断される必要があり、次いで、UEの時間内にターゲット周波数が測定される。たとえば、測定ギャップは6ミリ秒（ms）であってよく、発生周期は、40ms、80msなどに設定されてよい。すなわち、40msまたは80msごとに、UEは6msの間現在のセルに割り込んでターゲット周波数を測定することができる。UEは、アクティブなBWPによって制限されることなく、測定ギャップ内の任意の帯域幅部分（Band Width Part、BWP）の基準信号を測定することができる。
【０００７】
前述の分析から、従来技術では測定ギャップが周期的に発生するが、各測定ギャップ内で、UEの進行中のデータ受信およびデータ送信が中断される必要があり、それにより、UEのデータ送信が影響を受けることが分かる。
【発明の概要】
【０００８】
本出願の実施形態は、測定技術を最適化するために、基準信号処理方法、ネットワークデバイス、および端末デバイスを提供する。
【課題を解決するための手段】
【０００９】
前述の技術的問題を解決するために、本出願の実施形態において以下の技術的解決策が提供される。
【００１０】
第1の態様によれば、本出願の一実施形態は、ネットワークデバイスにより、端末デバイス用に構成された被測定基準信号、および端末デバイス用に構成された少なくとも1つの帯域幅部分BWPを決定するステップであって、基準信号の周波数領域位置が少なくとも1つのBWPの帯域幅範囲内にある、ステップと、ネットワークデバイスにより、被測定基準信号に基づいて基準信号構成情報を生成し、少なくとも1つのBWPに基づいてBWP構成情報を生成するステップと、ネットワークデバイスにより、基準信号構成情報およびBWP構成情報を端末デバイスに送信するステップとを含む、基準信号処理方法を提供する。
【００１１】
本出願のいくつかの実施形態では、ネットワークデバイスは、端末デバイス用に構成された被測定基準信号、および端末デバイス用に構成された少なくとも1つのBWPを決定し、基準信号の周波数領域位置は少なくとも1つのBWPの帯域幅範囲内にあり、ネットワークデバイスは、被測定基準信号に基づいて基準信号構成情報を生成し、少なくとも1つのBWPに基づいてBWP構成情報を生成し、ネットワークデバイスは、基準信号構成情報およびBWP構成情報を端末デバイスに送信する。本出願のこの実施形態では、ネットワークデバイスは、基準信号構成情報およびBWP構成情報を端末デバイスに送信することができ、その結果、端末デバイスは、基準信号構成情報およびBWP構成情報を構文解析し、基準信号に基づいてセルの品質を取得することができる。したがって、本出願のこの実施形態では、基準信号は測定ギャップを開始することなく測定することができ、それにより、測定ギャップのアクティブ化が低減され、端末デバイスのデータ受信およびデータ送信が低減される。
【００１２】
本出願の第1の態様の可能な設計では、方法は、ネットワークデバイスにより、端末デバイス用に構成された第1のギャップの周期および第1のギャップのオフセットを決定するステップであって、第1のギャップが基準信号を送信するためにネットワークデバイスによって使用される、ステップと、ネットワークデバイスにより、ギャップ構成情報を端末デバイスに送信するステップであって、ギャップ構成情報が第1のギャップの周期および第1のギャップのオフセットを含む、ステップとをさらに含む。本出願のこの実施形態では、第1のギャップの周期および第1のギャップのオフセットは、毎回第1のギャップの持続時間を計算するために使用されてよい。ネットワークデバイスがギャップ構成情報を生成した後、ネットワークデバイスはさらに、ギャップ構成情報を端末デバイスに送信することができ、その結果、端末デバイスは、ネットワークデバイスからギャップ構成情報を受信することができる。ギャップ構成情報を構文解析した後、端末デバイスは、第1のギャップのためにネットワークデバイスによって構成された周期およびオフセットを特定することができる。
【００１３】
本出願の第1の態様の可能な設計では、方法は、ネットワークデバイスにより、第1のギャップの周期および第1のギャップのオフセットに基づいて第1のギャップの開始時間を計算するステップと、ネットワークデバイスにより、第1のギャップの開始時間および第1のギャップの長さに基づいて第1のギャップの持続時間を計算するステップと、ネットワークデバイスにより、基準信号の周波数領域位置が第1のギャップの持続時間内でアクティブなBWPの帯域幅範囲内にあるかどうかを判定するステップと、基準信号の周波数領域位置が第1のギャップの持続時間内でアクティブなBWPの帯域幅範囲内にある場合、ネットワークデバイスにより、第1のギャップを非アクティブ化することを決定するステップとをさらに含む。本出願のこの実施形態では、ネットワークデバイスが第1のギャップの持続時間を決定した後、ネットワークデバイスは、基準信号の周波数領域位置が第1のギャップの持続時間内でアクティブなBWPの帯域幅範囲内にあるかどうかを判定することができ、基準信号の周波数領域位置が第1のギャップの持続時間内でアクティブなBWPの帯域幅範囲内にある場合、ネットワークデバイスは、第1のギャップを非アクティブ化することを決定する。第1のギャップが非アクティブ化された場合、第1のギャップは再開される必要がなく、それにより、スロットの開始時間が短縮される。
【００１４】
本出願の第1の態様の可能な設計では、基準信号構成情報は、以下のパラメータ：基準信号のタイプパラメータ、基準信号の周期パラメータ、および基準信号の周波数領域位置パラメータのうちの少なくとも1つを含む。基準信号のタイプパラメータは、基準信号がSSであるかCSI−RSであるかを示し、基準信号の周期パラメータは、基準信号の送信周期を示すために使用され、基準信号の周波数領域位置パラメータは、基準信号が端末デバイスに送信される周波数領域位置を示すために使用される。
【００１５】
本出願の第1の態様の可能な設計では、BWP構成情報は、少なくとも1つのBWPの周波数情報および少なくとも1つのBWPの帯域幅情報を含む。端末デバイスのためにネットワークデバイスによって構成されたBWPは、BWPの周波数および帯域幅によって示されてよい。具体的には、ネットワークデバイスは、端末デバイス用のBWPセットを構成することができ、BWPセットはBWP構成情報の1つまたは複数のピースを含む。少なくとも1つのBWPは対応する基準信号を含み、基準信号はSSまたはCSI−RSである。
【００１６】
本出願の第1の態様の可能な設計では、BWP構成情報は、基準信号と少なくとも1つのBWPとの間の対応関係を含む。ネットワークデバイスは、BWP構成情報を使用することにより、基準信号と少なくとも1つのBWPとの間の対応関係を端末デバイスに示すことができる。したがって、端末デバイスは、BWP構成情報に基づいて、各BWPに対応する基準信号を特定することができる。
【００１７】
本出願の第1の態様の可能な設計では、BWP構成情報は、BWPのアクティブ化時間情報を含み、BWPのアクティブ化時間情報は、以下のパラメータ：少なくとも1つのBWPのアクティブ化時間周期および少なくとも1つのBWPのアクティブ化時間オフセットのうちの少なくとも1つを含む。BWPのアクティブ化時間はアクティブ化時間周期に基づいて発生し、アクティブ化時間オフセットはBWPのアクティブ化時間のオフセットである。アクティブ化時間周期およびアクティブ化時間オフセットは、毎回BWPのアクティブ化持続時間を計算するために使用されてよい。
【００１８】
本出願の第1の態様の可能な設計では、方法は、ネットワークデバイスにより、少なくとも1つのBWPのアクティブ化時間周期および少なくとも1つのBWPのアクティブ化時間オフセットに基づいて、少なくとも1つのBWPの開始時間を計算するステップと、ネットワークデバイスにより、少なくとも1つのBWPの開始時間および少なくとも1つのBWPのアクティブ化時間長に基づいて、少なくとも1つのBWPのアクティブ化持続時間を決定するステップであって、少なくとも1つのBWPのアクティブ化持続時間が、ネットワークデバイスと端末デバイスとの間のデータ送信に使用される、ステップとをさらに含む。本出願のこの実施形態では、BWP構成情報は、少なくとも1つのBWPのアクティブ化時間長に関する情報をさらに含んでよい。ネットワークデバイスは、少なくとも1つのBWPの開始時間および少なくとも1つのBWPのアクティブ化時間長に基づいて、少なくとも1つのBWPのアクティブ化持続時間を決定することができ、少なくとも1つのBWPのアクティブ化持続時間は、ネットワークデバイスと端末デバイスとの間のデータ送信に使用される。
【００１９】
第2の態様によれば、本出願の一実施形態は、端末デバイスにより、ネットワークデバイスによって送信された基準信号構成情報および帯域幅部分BWP構成情報を取得するステップと、端末デバイスにより、基準信号構成情報に基づいて被測定基準信号を特定し、BWP構成情報に基づいて、端末デバイス用に構成されたBWPを特定するステップと、端末デバイスにより、基準信号に基づいてセルの品質を取得するステップであって、端末デバイス用に構成されたBWPがセルに属する、ステップとを含む、基準信号処理方法をさらに提供する。
【００２０】
本出願の他の実施形態では、端末デバイスは、ネットワークデバイスによって送信された基準信号構成情報およびBWP構成情報を取得し、端末デバイスは、基準信号構成情報に基づいて被測定基準信号を特定し、BWP構成情報に基づいて、端末デバイス用に構成されたBWPを特定し、端末デバイスは、基準信号に基づいてセルの品質を取得し、端末デバイス用に構成されたBWPはセルに属する。端末デバイスは、基準信号構成情報およびBWP構成情報を構文解析することができるので、端末デバイスは、基準信号に基づいてセルの品質を取得することができる。したがって、本出願のこの実施形態では、基準信号は測定ギャップを開始することなく測定することができ、それにより、測定ギャップのアクティブ化が低減され、端末デバイスのデータ受信およびデータ送信が低減される。
【００２１】
本出願の第2の態様の可能な設計では、方法は、端末デバイスにより、ネットワークデバイスによって送信されたギャップ構成情報を取得するステップであって、ギャップ構成情報が、第1のギャップの周期情報および第1のギャップのオフセット情報を含む、ステップと、端末デバイスにより、第1のギャップの周期情報および第1のギャップのオフセット情報に基づいて、第1のギャップの持続時間を特定するステップとをさらに含む。第1のギャップは時間周期に基づいて発生してよく、第1のギャップのオフセットは第1のギャップの発生時間のオフセットである。第1のギャップの周期および第1のギャップのオフセットは、毎回第1のギャップの持続時間を計算するために使用されてよい。端末デバイスは、ネットワークデバイスからギャップ構成情報を受信することができる。ギャップ構成情報を構文解析した後、端末デバイスは、第1のギャップのためにネットワークデバイスによって構成された周期およびオフセットを特定することができる。
【００２２】
本出願の第2の態様の可能な設計では、端末デバイスにより、基準信号に基づいてセルの品質を取得するステップは、端末デバイスにより、アクティブなBWPを特定するステップであって、アクティブなBWPが、端末デバイス用に構成されたBWPの中の1つまたは複数のBWPである、ステップと、端末デバイスが第1のギャップの持続時間を特定した後、端末デバイスにより、基準信号の周波数領域位置がアクティブなBWPの帯域幅範囲内にあるかどうかを判定するステップと、基準信号の周波数領域位置がアクティブなBWPの帯域幅範囲内にある場合、端末デバイスにより、第1のギャップを非アクティブ化し、アクティブなBWPに対応する基準信号に基づいてセルの品質を取得するステップとを含む。端末デバイスは、ネットワークデバイスによってアクティブ化されたBWPを最初に特定することができ、次いで、端末デバイスが前述のステップを実行することによって第1のギャップの持続時間を計算した後、端末デバイスは、基準信号の周波数領域位置がアクティブなBWPの帯域幅範囲内にあるかどうかを判定する。基準信号の周波数領域位置がアクティブなBWPの帯域幅範囲内にある場合、それは、端末デバイスが第1のギャップを使用せずに基準信号に対応するセルの品質を取得することができることを示す。この場合、端末デバイスは第1のギャップを非アクティブ化することができる。本出願のこの実施形態では、端末デバイスはアクティブなBWPを特定することができ、それにより、ギャップ開始時間が短縮される。したがって、ネットワークデバイスと端末デバイスとの間のデータ送信の中断が低減される。
【００２３】
本出願の第2の態様の可能な設計では、端末デバイスにより、基準信号の周波数領域位置がアクティブなBWPの帯域幅範囲内にあるかどうかを判定するステップの後、方法は、基準信号の周波数領域位置がアクティブなBWPの帯域幅範囲内にない場合、端末デバイスにより、第1のギャップをアクティブ化し、アクティブ化された第1のギャップ内にあり、基準信号に対応するセルの品質を取得するステップをさらに含む。基準信号の周波数領域位置がアクティブなBWPの帯域幅範囲内にない場合、それは、基準信号がアクティブなBWPの帯域幅範囲内にないことを示す。この場合、前述の第1のギャップが必要とされる。第1のギャップがアクティブ化された後、端末デバイスは、アクティブ化された第1のギャップ内にあり、基準信号に対応するセルの品質を取得することができる。本出願のこの実施形態では、端末デバイスは第1のギャップをアクティブ化することができ、それにより、第1のギャップ内のセルの品質が取得される。
【００２４】
本出願の第2の態様の可能な設計では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含み、端末デバイスにより、基準信号に基づいてセルの品質を取得するステップであって、端末デバイス用に構成されたBWPがセルに属する、ステップは、端末デバイスにより、端末デバイス用に構成されたBWPのアクティブ化時間周期および端末デバイス用に構成されたBWPのアクティブ化時間オフセットに基づいて、端末デバイス用に構成されたBWPの開始時間を特定するステップと、端末デバイスにより、端末デバイス用に構成されたBWPの開始時間から、端末デバイス用に構成されたアクティブ化時間長内にあり、基準信号に対応するセルの品質を取得するステップとを含む。
【００２５】
本出願の第2の態様の可能な設計では、アクティブ化時間長はBWPのアクティブ化時間情報に含まれるか、またはアクティブ化時間長は端末デバイスによってローカルに構成される。アクティブ化時間長はBWPのアクティブ化時間情報に含まれるか、またはアクティブ化時間長は端末デバイスによってローカルに構成される。BWP構成情報は、少なくとも1つのBWPのアクティブ化時間長に関する情報をさらに含んでよい。端末デバイスは、少なくとも1つのBWPの開始時間および少なくとも1つのBWPのアクティブ化時間長に基づいて、少なくとも1つのBWPのアクティブ化持続時間を特定することができ、少なくとも1つのBWPのアクティブ化持続時間は、端末デバイスとネットワークデバイスとの間のデータ送信に使用される。
【００２６】
本出願の第2の態様の可能な設計では、BWP構成情報は、BWPの数がNであり、Nが2以上であり、N個のBWPの各々の帯域幅が構成された被測定基準信号を含むことをさらに含み、端末デバイスにより、基準信号に基づいてセルの品質を取得するステップは、端末デバイスにより、測定期間内に、サンプリング時点でアクティブ化されたBWPの帯域幅範囲内の基準信号に対応するM個のサンプリング結果を取得するステップであって、Mが正の整数である、ステップと、端末デバイスにより、M個のサンプリング結果に基づいてセルの品質を計算するステップとを含む。端末デバイスは、測定期間内に、複数のBWPに対応する基準信号の複数のサンプリング結果を取得することができ、端末デバイスは、複数のBWPのサンプリング結果をセルの品質として使用することができる。したがって、端末デバイスは、ギャップを開始することなく、セルの品質の測定を実施することができる。
【００２７】
本出願の第2の態様の可能な設計では、端末デバイスにより、M個のサンプリング結果に基づいてセルの品質を計算するステップは、端末デバイスにより、M個のサンプリング結果からH個のサンプリング結果を抽出するステップであって、HがMより小さく、H個のサンプリング結果が、第1のBWPに対応する基準信号をサンプリングすることによって取得されたサンプリング結果であり、第1のBWPがデフォルトのBWPまたは最初のBWPである、ステップと、端末デバイスにより、H個のサンプリング結果に基づいてセルの品質を計算するステップとを含む。デフォルトのBWPは、データ送信が終了した後の特定の期間内に端末デバイスによって返されるBWPであり、最初のBWPは、端末デバイスが最初のアクセス中に使用されるBWPである。デフォルトのBWPまたは最初のBWPに対応するH個のサンプリング結果に基づいて計算されたセルの品質は、サービングセルの実際の信号品質をよりよく示すことができ、それにより、セルの品質の計算精度が向上する。
【００２８】
第3の態様によれば、本出願の一実施形態は、端末デバイス用に構成された被測定基準信号、および端末デバイス用に構成された少なくとも1つの帯域幅部分BWPを決定するように構成された処理モジュールであって、基準信号の周波数領域位置が少なくとも1つのBWPの帯域幅範囲内にあり、処理モジュールが、被測定基準信号に基づいて基準信号構成情報を生成し、少なくとも1つのBWPに基づいてBWP構成情報を生成するようにさらに構成される、処理モジュールと、基準信号構成情報およびBWP構成情報を端末デバイスに送信するように構成された送信モジュールとを含む、ネットワークデバイスを提供する。
【００２９】
本出願の第3の態様の可能な設計では、処理モジュールは、端末デバイス用に構成された第1のギャップの周期および第1のギャップのオフセットを決定するようにさらに構成され、第1のギャップは基準信号を送信するためにネットワークデバイスによって使用され、送信モジュールは、ギャップ構成情報を端末デバイスに送信するようにさらに構成され、ギャップ構成情報は第1のギャップの周期および第1のギャップのオフセットを含む。
【００３０】
本出願の第3の態様の可能な設計では、処理モジュールは、第1のギャップの周期および第1のギャップのオフセットに基づいて第1のギャップの開始時間を計算することと、第1のギャップの開始時間および第1のギャップの長さに基づいて第1のギャップの持続時間を計算することと、基準信号の周波数領域位置が第1のギャップの持続時間内でアクティブなBWPの帯域幅範囲内にあるかどうかを判定することと、基準信号の周波数領域位置が第1のギャップの持続時間内でアクティブなBWPの帯域幅範囲内にある場合、第1のギャップを非アクティブ化することを決定することとを行うように構成される。
【００３１】
本出願の第3の態様の可能な設計では、基準信号構成情報は、以下のパラメータ：基準信号のタイプパラメータ、基準信号の周期パラメータ、および基準信号の周波数領域位置パラメータのうちの少なくとも1つを含む。
【００３２】
本出願の第3の態様の可能な設計では、BWP構成情報は、少なくとも1つのBWPの周波数情報および少なくとも1つのBWPの帯域幅情報を含む。
【００３３】
本出願の第3の態様の可能な設計では、BWP構成情報は、基準信号と少なくとも1つのBWPとの間の対応関係を含む。
【００３４】
本出願の第3の態様の可能な設計では、BWP構成情報はBWPのアクティブ化時間情報を含み、BWPのアクティブ化時間情報は、以下のパラメータ：少なくとも1つのBWPのアクティブ化時間周期および少なくとも1つのBWPのアクティブ化時間オフセットのうちの少なくとも1つを含む。
【００３５】
本出願の第3の態様の可能な設計では、処理モジュールは、少なくとも1つのBWPのアクティブ化時間周期および少なくとも1つのBWPのアクティブ化時間オフセットに基づいて、少なくとも1つのBWPの開始時間を計算するようにさらに構成され、処理モジュールは、少なくとも1つのBWPの開始時間および少なくとも1つのBWPのアクティブ化時間長に基づいて、少なくとも1つのBWPのアクティブ化持続時間を決定するようにさらに構成され、少なくとも1つのBWPのアクティブ化持続時間は、ネットワークデバイスと端末デバイスとの間のデータ送信に使用される。
【００３６】
本出願の第3の態様では、ネットワークデバイスのコンポーネントモジュールは、第1の態様および様々な可能な実装形態に記載されたステップを実行することもできる。詳細については、第1の態様および様々な可能な実装形態の説明を参照されたい。
【００３７】
第4の態様によれば、本出願の一実施形態は端末デバイスをさらに提供する。端末デバイスは、ネットワークデバイスによって送信された基準信号構成情報および帯域幅部分BWP構成情報を取得するように構成された受信モジュールと、基準信号構成情報に基づいて被測定基準信号を特定し、BWP構成情報に基づいて、端末デバイス用に構成されたBWPを特定するように構成された処理モジュールとを含み、処理モジュールは、基準信号に基づいてセルの品質を取得するように構成され、端末デバイス用に構成されたBWPはセルに属する。
【００３８】
本出願の第4の態様の可能な設計では、受信モジュールは、ネットワークデバイスによって送信されたギャップ構成情報を取得するようにさらに構成され、ギャップ構成情報は、第1のギャップの周期情報および第1のギャップのオフセット情報を含み、処理モジュールは、第1のギャップの周期情報および第1のギャップのオフセット情報に基づいて、第1のギャップの持続時間を特定するようにさらに構成される。
【００３９】
本出願の第4の態様の可能な設計では、処理モジュールは、アクティブなBWPを特定することであって、アクティブなBWPが端末デバイス用に構成されたBWPの中の1つまたは複数のBWPである、特定することと、端末デバイスが第1のギャップの持続時間を特定した後、基準信号の周波数領域位置がアクティブなBWPの帯域幅範囲内にあるかどうかを判定することと、基準信号の周波数領域位置がアクティブなBWPの帯域幅範囲内にある場合、第1のギャップを非アクティブ化し、アクティブなBWPに対応する基準信号に基づいてセルの品質を取得することとを行うように構成される。
【００４０】
本出願の第4の態様の可能な設計では、基準信号の周波数領域位置がアクティブなBWPの帯域幅範囲内にあるかどうかを判定した後、処理モジュールは、基準信号の周波数領域位置がアクティブなBWPの帯域幅範囲内にない場合、第1のギャップをアクティブ化し、アクティブ化された第1のギャップ内にあり、基準信号に対応するセルの品質を取得するように構成される。
【００４１】
本出願の第4の態様の可能な設計では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含み、処理モジュールは、端末デバイス用に構成されたBWPのアクティブ化時間周期および端末デバイス用に構成されたBWPのアクティブ化時間オフセットに基づいて、端末デバイス用に構成されたBWPの開始時間を特定することと、端末デバイス用に構成されたBWPの開始時間から、端末デバイス用に構成されたアクティブ化時間長内にあり、基準信号に対応するセルの品質を取得することとを行うように構成される。
【００４２】
本出願の第4の態様の可能な設計では、アクティブ化時間長はBWPのアクティブ化時間情報に含まれるか、またはアクティブ化時間長は端末デバイスによってローカルに構成される。
【００４３】
本出願の第4の態様の可能な設計では、BWP構成情報は、BWPの数がNであり、Nが2以上であり、N個のBWPの各々の帯域幅が構成された被測定基準信号を含むことをさらに含み、処理モジュールは、具体的に、測定期間内に、サンプリング時点でアクティブ化されたBWPの帯域幅範囲内の基準信号に対応するM個のサンプリング結果を取得することであって、Mが正の整数である、取得することと、M個のサンプリング結果に基づいてセルの品質を計算することとを行うように構成される。
【００４４】
本出願の第4の態様の可能な設計では、処理モジュールは、M個のサンプリング結果からH個のサンプリング結果を抽出することであって、HがMより小さく、H個のサンプリング結果が、第1のBWPに対応する基準信号をサンプリングすることによって取得されたサンプリング結果であり、第1のBWPがデフォルトのBWPまたは最初のBWPである、抽出することと、H個のサンプリング結果に基づいてセルの品質を計算することとを行うように構成される。
【００４５】
本出願の第4の態様では、端末デバイスのコンポーネントモジュールは、第2の態様および様々な可能な実装形態に記載されたステップを実行することもできる。詳細については、第2の態様および様々な可能な実装形態の説明を参照されたい。
【００４６】
第5の態様によれば、本出願の一実施形態はネットワークデバイスを提供する。ネットワークデバイスはプロセッサおよびメモリを含み、メモリは命令を記憶するように構成され、プロセッサはメモリ内の命令を実行するように構成され、その結果、通信装置は、第1の態様または第1の態様の可能な設計のいずれか1つによる方法を実行する。
【００４７】
第6の態様によれば、本出願の一実施形態は端末デバイスを提供する。端末デバイスはプロセッサおよびメモリを含み、メモリは命令を記憶するように構成され、プロセッサはメモリ内の命令を実行するように構成され、その結果、通信装置は、第2の態様または第2の態様の可能な設計のいずれか1つによる方法を実行する。
【００４８】
第7の態様によれば、本出願はチップシステムを提供する。チップシステムは、たとえば、前述の方法でデータおよび／または情報を送信または処理するために、前述の態様で機能を実施する際にネットワークデバイスまたは端末デバイスをサポートするように構成されたプロセッサを含む。可能な設計では、チップシステムはメモリをさらに含み、メモリは、ネットワークデバイスまたは端末デバイスに必要なプログラム命令およびデータを記憶するように構成される。チップシステムは、チップを含んでもよく、チップおよび別の個別デバイスを含んでもよい。
【００４９】
第8の態様によれば、本出願はコンピュータ可読記憶媒体を提供する。コンピュータ可読記憶媒体は命令を記憶する。命令がコンピュータ上で実行されると、コンピュータは前述の態様に記載された方法を実行する。
【００５０】
第9の態様によれば、本出願は命令を含むコンピュータプログラム製品を提供する。命令がコンピュータ上で実行されると、コンピュータは前述の態様に記載された方法を実行する。
【図面の簡単な説明】
【００５１】
【図１】本出願の一実施形態による、基準信号処理方法が適用されるシステムの概略アーキテクチャ図である。
【図２】本出願の一実施形態による、基準信号処理方法の概略ブロックフローチャートである。
【図３】本出願の一実施形態による、別の基準信号処理方法の概略ブロックフローチャートである。
【図４】本出願の一実施形態による、BWP実装形態の概略図である。
【図５】本発明の一実施形態による、基準信号構成方式の概略図である。
【図６】本発明の一実施形態による、別の基準信号構成方式の概略図である。
【図７】本発明の一実施形態による、また別の基準信号構成方式の概略図である。
【図８】本発明の一実施形態による、さらに別の基準信号構成方式の概略図である。
【図９】本出願の一実施形態による、ネットワークデバイスの概略構造図である。
【図１０】本出願の一実施形態による、端末デバイスの概略構造図である。
【図１１】本出願の一実施形態による、別のネットワークデバイスの概略構造図である。
【図１２】本出願の一実施形態による、別のネットワークデバイスの概略構造図である。
【発明を実施するための形態】
【００５２】
本出願の実施形態は、測定技術を最適化するために、基準信号処理方法、ネットワークデバイス、および端末デバイスを提供する。
【００５３】
以下で、添付図面を参照して本出願の実施形態を記載する。
【００５４】
本出願の明細書、特許請求の範囲、および添付図面において、「第1」、「第2」などの用語は、同様のオブジェクトを区別するものであるが、必ずしも特定の順序または順番を示すとは限らない。そのように使用される用語は、適切な状況において交換可能であり、本出願の実施形態において同じ属性を有するオブジェクトが記載されるときに使用される単なる区別方式であることを理解されたい。加えて、「含む」、「包含する」という用語および任意の他の変形形態は、非排他的な含有をカバーすることを意味し、その結果、一連のユニットを含むプロセス、方法、システム、製品、またはデバイスは、必ずしもそれらのユニットに限定されるとは限らず、明示的に列挙されていない、またはそのようなプロセス、方法、システム、製品、もしくはデバイスに固有の他のユニットを含んでよい。
【００５５】
本出願に記載される技術は、ロングタームエボリューション（Long Term Evolution、LTE）システム、または様々な無線アクセス技術を使用する別のワイヤレス通信システム、たとえば、符号分割多元接続、周波数分割多元接続、時分割多元接続、直交周波数分割多元接続、もしくはシングルキャリア周波数分割多元接続を使用するシステムに適用されてよい。加えて、これらの技術は、新無線（New Radio、NR）システムを含む第5世代5G（the fifth generation、5G）システム、発展型LTE（evolved LTE）システムなどの、LTEシステムの次の発展型システムにさらに適用されてよい。
【００５６】
図1は、本出願の一実施形態によるシステムの概略構造図である。システムはネットワークデバイスおよび端末デバイスを含んでよく、1つまたは複数の端末デバイスが存在してよい。本出願の端末デバイスは、ワイヤレス通信機能を実現するハンドヘルドデバイス、車載デバイス、ウェアラブルデバイス、もしくはコンピューティングデバイス、ワイヤレスモデムに接続された別の処理デバイス、または、移動局（Mobile station、MS）、端末（terminal）、端末デバイス（Terminal Equipment）などを含む様々な形態のユーザ機器（User Equipment、UE）を含んでよい。説明を簡単にするために、本出願では、上述されたデバイスはユーザ機器またはUEと総称される。本出願のネットワークデバイスは、基地局（base station、略してBS）を含んでよく、ネットワークデバイスは、UEにワイヤレス通信機能を提供するために無線アクセスネットワークに配備される装置である。基地局は、様々な形態のマクロ基地局、マイクロ基地局、中継局、アクセスポイントなどを含んでよい。異なる無線アクセス技術を使用するシステムでは、基地局機能を有するデバイスは異なる名称を有してよい。たとえば、デバイスは、LTEシステムでは発展型ノードB（evolved NodeB、略してeNBまたはeNodeB）と呼ばれ、NRシステムではgNBと呼ばれ、第3世代3GシステムではノードB（Node B）と呼ばれるなどである。
【００５７】
以下で、それぞれ、ネットワークデバイスおよび端末デバイスの観点から基準信号処理方法を記載するために、例を提供する。最初に、ネットワークデバイスの観点から説明が行われる。図2は、本出願の基準信号処理方法の一実施形態を示す。方法は以下のステップを含んでよい。
【００５８】
201．ネットワークデバイスが、端末デバイス用に構成された被測定基準信号、および端末デバイス用に構成された少なくとも1つのBWPを決定し、基準信号の周波数領域位置は少なくとも1つのBWPの帯域幅範囲内にある。
【００５９】
本出願のこの実施形態では、ネットワークデバイスは、端末デバイス用の基準信号を構成することができ、基準信号は、具体的に、同期信号（Synchronization Signal、SS）、またはチャネル状態情報基準シンボル（Channel State Information−Reference Symbol、CSI−RS）を含む。SSはセルの同期信号であり、UEは、同期信号の測定に基づいてセルの測定品質を取得することができる。CSI−RSはUE用に構成された基準信号であり、UEは、代替として、CSI−RSの測定に基づいてセルの品質を取得することができる。端末デバイス用の基準信号を構成することに加えて、ネットワークデバイスは、端末デバイス用の少なくとも1つのBWPを構成することができる。たとえば、ネットワークデバイスは、端末デバイス用の1つのBWPを構成することができるか、またはネットワークデバイスは、端末デバイス用の複数のBWPを構成する。
【００６０】
BWPはセルの帯域幅の一部であってよく、ネットワークデバイスは、端末デバイスが少なくとも1つのBWP上で動作し、少なくとも1つのBWPのうちの少なくとも1つがアクティブであり、アクティブなBWPがネットワークデバイスと端末デバイスとの間のデータ送信に使用されてよいような構成を実行することができる。
【００６１】
本出願のこの実施形態では、ネットワークデバイスは、端末デバイス用の基準信号および少なくとも1つのBWPを決定し、基準信号の周波数領域位置は少なくとも1つのBWPの帯域幅範囲内にある。言い換えれば、少なくとも1つのBWPの帯域幅範囲は基準信号の送信周波数領域位置を含む。
【００６２】
202．ネットワークデバイスが、被測定基準信号に基づいて基準信号構成情報を生成し、少なくとも1つのBWPに基づいてBWP構成情報を生成する。
【００６３】
本出願のこの実施形態では、ネットワークデバイスが端末デバイス用の基準信号および少なくとも1つのBWPを決定した後、ネットワークデバイスは、決定された基準信号に基づいて基準信号構成情報を生成することができ、基準信号構成情報は、端末デバイスのためにネットワークデバイスによって構成された基準信号に関する情報を含む。ネットワークデバイスはさらに、決定された少なくとも1つのBWPに基づいてBWP構成情報を生成することができ、BWP構成情報は、端末デバイスのためにネットワークデバイスによって構成されたBWPの情報を含む。
【００６４】
本出願のいくつかの実施形態では、端末デバイスのためにネットワークデバイスによって生成された基準信号構成情報は、以下のパラメータ：基準信号のタイプパラメータ、基準信号の周期パラメータ、および基準信号の周波数領域位置パラメータのうちの少なくとも1つを含む。基準信号のタイプパラメータは、基準信号がSSであるかCSI−RSであるかを示し、基準信号の周期パラメータは、基準信号の送信周期を示すために使用され、基準信号の周波数領域位置パラメータは、基準信号が端末デバイスに送信される周波数領域位置を示すために使用される。
【００６５】
本出願のいくつかの実施形態では、端末デバイスのためにネットワークデバイスによって生成されたBWP構成情報は、少なくとも1つのBWPの周波数情報および少なくとも1つのBWPの帯域幅情報を含む。端末デバイスのためにネットワークデバイスによって構成されたBWPは、BWPの周波数および帯域幅によって示されてよい。具体的には、ネットワークデバイスは、端末デバイス用のBWPセットを構成することができ、BWPセットはBWP構成情報の1つまたは複数のピースを含む。少なくとも1つのBWPは対応する基準信号を含み、基準信号はSSまたはCSI−RSである。
【００６６】
さらに、本出願のいくつかの実施形態では、ネットワークデバイスによって生成されたBWP構成情報は、基準信号と少なくとも1つのBWPとの間の対応関係を含む。ネットワークデバイスは、BWP構成情報を使用することにより、基準信号と少なくとも1つのBWPとの間の対応関係を端末デバイスに示すことができる。したがって、端末デバイスは、BWP構成情報に基づいて、各BWPに対応する基準信号を特定することができる。
【００６７】
本出願のこの実施形態では、BWPの前述の説明に基づいて、ネットワークデバイスが端末デバイス用のBWPを構成した後、アクティブ化されたBWPがネットワークデバイスと端末デバイスとの間のデータ送信に使用することができるように、ネットワークデバイスが1つまたは複数のBWPをアクティブ化する必要があることが分かる。本出願のいくつかの実施形態では、ネットワークデバイスによって生成されたBWP構成情報は、BWPのアクティブ化時間情報をさらに含んでよい。BWPのアクティブ化時間情報は、以下のパラメータ：少なくとも1つのBWPのアクティブ化時間周期および少なくとも1つのBWPのアクティブ化時間オフセットのうちの少なくとも1つを含んでよい。BWPのアクティブ化時間はアクティブ化時間周期に基づいて発生し、アクティブ化時間オフセットはBWPのアクティブ化時間のオフセットである。アクティブ化時間周期およびアクティブ化時間オフセットは、毎回BWPのアクティブ化持続時間を計算するために使用されてよい。
【００６８】
203．ネットワークデバイスが、基準信号構成情報およびBWP構成情報を端末デバイスに送信する。
【００６９】
本出願のこの実施形態では、ネットワークデバイスが、前述のステップ202において端末デバイス用の基準信号構成情報およびBWP構成情報を生成した後、ネットワークデバイスは、基準信号構成情報およびBWP構成情報を端末デバイスに送信することができ、その結果、端末デバイスは、ネットワークデバイスから基準信号構成情報およびBWP構成情報を受信することができる。基準信号構成情報およびBWP構成情報を構文解析した後、端末デバイスは、ネットワークデバイスによって構成された基準信号の内容およびBWPの内容を特定することができる。ネットワークデバイスは、基準信号構成情報およびBWP構成情報を同じ制御シグナリングに追加し、制御シグナリングを端末デバイスに送信することができる。あるいは、ネットワークデバイスは、基準信号構成情報およびBWP構成情報をそれぞれ制御シグナリングの2つの異なるピースに追加し、制御シグナリングを端末デバイスに送信することができる。本明細書では制限は課されない。ネットワークデバイスによって使用される制御シグナリングは、上位層シグナリングであってよい。
【００７０】
本出願のいくつかの実施形態では、前述のステップを実行することに加えて、本出願のこの実施形態において提供される基準信号処理方法は、以下の、
ネットワークデバイスにより、端末デバイス用の第1のギャップの周期および第1のギャップのオフセットを構成するステップであって、第1のギャップが基準信号を送信するためにネットワークデバイスによって使用される、ステップと、
ネットワークデバイスにより、ギャップ構成情報を端末デバイスに送信するステップであって、ギャップ構成情報が第1のギャップの周期および第1のギャップのオフセットを含む、ステップと
を含んでよい。
【００７１】
ネットワークデバイスは、基準信号を送信するためにネットワークデバイスによって使用される第1のギャップをさらに構成することができ、第1のギャップは周期的に発生するギャップであってよい。ネットワークデバイスは、第1のギャップの周期および第1のギャップのオフセットを構成することができる。第1のギャップは時間周期に基づいて発生してよく、第1のギャップのオフセットは第1のギャップの発生時間のオフセットである。第1のギャップの周期および第1のギャップのオフセットは、毎回第1のギャップの持続時間を計算するために使用されてよい。ネットワークデバイスがギャップ構成情報を生成した後、ネットワークデバイスはさらに、ギャップ構成情報を端末デバイスに送信することができ、その結果、端末デバイスは、ネットワークデバイスからギャップ構成情報を受信することができる。ギャップ構成情報を構文解析した後、端末デバイスは、第1のギャップのためにネットワークデバイスによって構成された周期およびオフセットを特定することができる。
【００７２】
本出願のいくつかの実施形態では、前述のステップを実行することに加えて、本出願のこの実施形態において提供される基準信号処理方法は、以下の、
ネットワークデバイスにより、第1のギャップ（英語：GAP）の周期および第1のギャップのオフセットに基づいて第1のギャップの開始時間を計算するステップと、
ネットワークデバイスにより、第1のギャップの開始時間および第1のギャップの長さに基づいて第1のギャップの持続時間を計算するステップと、
ネットワークデバイスにより、基準信号の周波数領域位置が第1のギャップの持続時間内でアクティブなBWPの帯域幅範囲内にあるかどうかを判定するステップと、
基準信号の周波数領域位置が第1のギャップの持続時間内でアクティブなBWPの帯域幅範囲内にある場合、ネットワークデバイスにより、第1のギャップを非アクティブ化することを決定するステップと
を含んでよい。
【００７３】
第1のギャップを非アクティブ化することは、第1のギャップに対応する持続時間内に、測定ギャップ中に端末デバイスによって実行される動作の開始をスキップし、通常、現在のサービングセル上でデータ受信および送信動作を実行することを含んでよい。
【００７４】
第1のギャップは周期的に発生し、第1のギャップの周期およびオフセットは、第1のギャップの時間情報を計算するために一緒に使用することができる。具体的には、第1のギャップの時間情報は、以下の式に従って直接計算されてよい。
SFN1 mod T1＝FLOOR（gapOffset／10）（式1）
【００７５】
式1のシステムフレーム番号（System Frame Number、SFN）1を満たすフレームは、第1のギャップのフレームとして決定されてよい。式1において、SFNは測定ギャップが始まるフレーム番号を表す。第1のギャップの時間情報が計算されるので、SFN1は第1のギャップの開始フレーム番号を表す。T1は第1のギャップの周期を表し、gapOffsetは第1のギャップのオフセットを表し、FLOOR（）は切り捨て演算を表し、modはモジュロ演算、すなわち剰余演算を表す。式1は、第1のギャップの開始フレーム番号を計算するために使用される。計算結果をより正確にして開始サブフレームの位置を取得するために、本出願のこの実施形態では、以下の式も使用されてよい。
Subframe 1＝gapOffset mod 10（式2）
【００７６】
式2において、subframe 1は第1のギャップの開始サブフレーム番号を表す。したがって、式1および式2を使用することにより、ネットワークデバイスは、第1のギャップの開始フレーム番号およびサブフレーム番号を計算することができ、それにより、第1のギャップの開始時間がより正確に決定される。
【００７７】
第1のギャップの開始時間が取得された後、ネットワークデバイスはさらに、第1のギャップの開始時間および第1のギャップの長さに基づいて、第1のギャップの持続時間を計算することができる。たとえば、ネットワークデバイスは、第1のギャップの開始時間および第1のギャップの時間長に基づいて第1のギャップの持続時間を決定し、第1のギャップの長さは、固定長、たとえば6ミリ秒（ms）であるか、またはネットワークデバイスによって構成された長さ、たとえば3msであってよい。
【００７８】
本出願のいくつかの実施形態では、ネットワークデバイスが第1のギャップの持続時間を決定した後、ネットワークデバイスは、基準信号の周波数領域位置が第1のギャップの持続時間内でアクティブなBWPの帯域幅範囲内にあるかどうかを判定することができ、基準信号の周波数領域位置が第1のギャップの持続時間内でアクティブなBWPの帯域幅範囲内にある場合、ネットワークデバイスは、第1のギャップを非アクティブ化することを決定する。第1のギャップが非アクティブ化された場合、第1のギャップは再開される必要がなく、それにより、スロットの開始時間が短縮される。
【００７９】
本出願のいくつかの実施形態では、前述のステップを実行することに加えて、本出願のこの実施形態において提供される基準信号処理方法は、以下の、
ネットワークデバイスにより、少なくとも1つのBWPのアクティブ化時間周期および少なくとも1つのBWPのアクティブ化時間オフセットに基づいて、少なくとも1つのBWPの開始時間を計算するステップと、
ネットワークデバイスにより、少なくとも1つのBWPの開始時間および少なくとも1つのBWPのアクティブ化時間長に基づいて、少なくとも1つのBWPのアクティブ化持続時間を決定するステップであって、少なくとも1つのBWPのアクティブ化持続時間が、ネットワークデバイスと端末デバイスとの間のデータ送信に使用される、ステップと
を含んでよい。
【００８０】
ネットワークデバイスは、端末デバイス用のBWPをアクティブ化することもでき、ネットワークデバイスは、BWPのアクティブ化時間情報を端末デバイスに送信する。BWPのアクティブ化時間情報は、以下のパラメータ：少なくとも1つのBWPのアクティブ化時間周期および少なくとも1つのBWPのアクティブ化時間オフセットのうちの少なくとも1つを含んでよい。少なくとも1つのBWPのアクティブ化時間は周期的に発生し、アクティブ化時間周期およびアクティブ化時間オフセットは、少なくとも1つのBWPのアクティブ化時間を計算するために一緒に使用することができる。具体的には、アクティブ化時間の開始時間は以下の式3に従って計算されてよい。
SFN2 mod T2＝FLOOR（timeoffset／10）（式3）
【００８１】
式3において、BWPのアクティブ化時間が発生するフレームは、SFN2を使用して決定することができる。式3において、SFN2はアクティブ化時間の開始フレーム番号を表し、T2はアクティブ化時間周期を表し、アクティブ化時間オフセットはtimeoffsetによって表され、FLOOR（）は切り捨て演算を表し、modはモジュロ演算、すなわち剰余演算を表す。式3は、アクティブ化時間の開始フレーム番号を計算するために使用される。計算結果をより正確にして開始サブフレームの位置を取得するために、本出願のこの実施形態では、以下の式4も使用されてよい。
Subframe 2＝timeoffset mod 10（式4）
【００８２】
式4において、subframe 2は、BWPのアクティブ化時間の開始サブフレーム番号を表す。したがって、式3および式4を使用することにより、BWPのアクティブ化時間の開始フレーム番号および開始サブフレーム番号を計算することができ、それにより、BWPのアクティブ化時間情報がより正確に決定される。
【００８３】
本出願のいくつかの実施形態では、BWP構成情報は、少なくとも1つのBWPのアクティブ化時間長に関する情報をさらに含んでよい。ネットワークデバイスは、少なくとも1つのBWPの開始時間および少なくとも1つのBWPのアクティブ化時間長に基づいて、少なくとも1つのBWPのアクティブ化持続時間を決定することができ、少なくとも1つのBWPのアクティブ化持続時間は、ネットワークデバイスと端末デバイスとの間のデータ送信に使用される。
【００８４】
前述の実施形態における本出願の例の説明から、ネットワークデバイスが、端末デバイス用に構成された被測定基準信号、および端末デバイス用に構成された少なくとも1つのBWPを決定し、基準信号の周波数領域位置が少なくとも1つのBWPの帯域幅範囲内にあり、ネットワークデバイスが、被測定基準信号に基づいて基準信号構成情報を生成し、少なくとも1つのBWPに基づいてBWP構成情報を生成し、ネットワークデバイスが、基準信号構成情報およびBWP構成情報を端末デバイスに送信することが分かる。本出願のこの実施形態では、ネットワークデバイスは、基準信号構成情報およびBWP構成情報を端末デバイスに送信することができ、その結果、端末デバイスは、基準信号構成情報およびBWP構成情報を構文解析し、基準信号に基づいてセルの品質を取得することができる。したがって、本出願のこの実施形態では、基準信号は測定ギャップを開始することなく測定することができ、それにより、測定ギャップのアクティブ化が低減され、端末デバイスのデータ受信およびデータ送信が低減される。
【００８５】
前述の実施形態は、ネットワークデバイス側から本出願の実施形態において提供される基準信号処理方法を記載し、以下は、端末デバイス側から本出願の実施形態において提供される基準信号処理方法を記載する。図3に示されたように、本出願の一実施形態は、主に以下のステップを含む基準信号処理方法を提供する。
【００８６】
301．端末デバイスが、ネットワークデバイスによって送信された基準信号構成情報および帯域幅部分BWP構成情報を取得する。
【００８７】
本出願のこの実施形態では、ネットワークデバイスは、基準信号構成情報およびBWP構成情報を端末デバイスに送信することができ、端末デバイスは、ネットワークデバイスから基準信号構成情報およびBWP構成情報を受信することができる。たとえば、端末デバイスは、ワイヤレスネットワークを使用して基準信号構成情報およびBWP構成情報を受信することができる。ネットワークデバイスは、基準信号構成情報およびBWP構成情報を同じ制御シグナリングに追加し、制御シグナリングを端末デバイスに送信することができる。あるいは、ネットワークデバイスは、基準信号構成情報およびBWP構成情報をそれぞれ制御シグナリングの2つの異なるピースに追加し、制御シグナリングを端末デバイスに送信することができる。本明細書では制限は課されない。ネットワークデバイスによって使用される制御シグナリングは、上位層シグナリングであってよい。
【００８８】
302．端末デバイスが、基準信号構成情報に基づいて被測定基準信号を特定し、BWP構成情報に基づいて、端末デバイス用に構成されたBWPを特定する。
【００８９】
本出願のこの実施形態では、端末デバイスがネットワークデバイスから基準信号構成情報およびBWP構成情報を受信した後、端末デバイスは、基準信号構成情報およびBWP構成情報を構文解析することができ、端末デバイスは、ネットワークデバイスによって構成された基準信号の内容およびBWPの内容を特定することができる。たとえば、端末デバイスは、基準信号構成情報を構文解析することにより、端末デバイスのためにネットワークデバイスによって構成された被測定基準信号を特定し、端末デバイスは、BWP構成情報を構文解析することにより、端末デバイスのためにネットワークデバイスによって構成されたBWPを特定する。
【００９０】
303．端末デバイスが基準信号に基づいてセルの品質を取得し、端末デバイス用に構成されたBWPはセルに属する。
【００９１】
本出願のこの実施形態では、端末デバイスは、前述のステップ302を実行することにより、端末デバイスのためにネットワークデバイスによって構成されたBWPを特定することができ、端末デバイスはさらに、ネットワークデバイスによる基準信号の構成を特定することができる。したがって、端末デバイスは基準信号に基づいてセルの品質を取得することができる。セルは、端末デバイス用に構成されたBWPを含んでよい。セルの品質の測定は、端末デバイスのアンテナを介して基準信号を受信することにより、次いで、端末デバイスのプロセッサを使用して計算することによって実行されてよい。
【００９２】
本出願のいくつかの実施形態では、前述のステップを実行することに加えて、本出願のこの実施形態において提供される基準信号処理方法は、以下の、
端末デバイスにより、ネットワークデバイスによって送信されたギャップ構成情報を取得するステップであって、ギャップ構成情報が第1のギャップの周期情報および第1のギャップのオフセット情報を含む、ステップと、
端末デバイスにより、第1のギャップの周期情報および第1のギャップのオフセット情報に基づいて、第1のギャップの持続時間を特定するステップと
を含んでよい。
【００９３】
ネットワークデバイスは、基準信号を送信するためにネットワークデバイスによって使用される第1のギャップをさらに構成することができ、第1のギャップは周期的に発生するギャップであってよい。ネットワークデバイスは、第1のギャップの周期および第1のギャップのオフセットを構成することができる。第1のギャップは時間周期に基づいて発生してよく、第1のギャップのオフセットは第1のギャップの発生時間のオフセットである。第1のギャップの周期および第1のギャップのオフセットは、毎回第1のギャップの持続時間を計算するために使用されてよい。端末デバイスは、ネットワークデバイスからギャップ構成情報を受信することができる。ギャップ構成情報を構文解析した後、端末デバイスは、第1のギャップのためにネットワークデバイスによって構成された周期およびオフセットを特定することができる。
【００９４】
たとえば、第1のギャップは周期的に発生し、第1のギャップの周期およびオフセットは、第1のギャップの時間情報を計算するために一緒に使用することができる。具体的には、第1のギャップの時間情報は、以下の式に従って直接計算されてよい。
SFN1 mod T1＝FLOOR（gapOffset／10）（式1）
【００９５】
式1のシステムフレーム番号（System Frame Number、SFN）1を満たすフレームは、第1のギャップのフレームとして決定されてよい。式1において、SFNは測定ギャップが始まるフレーム番号を表す。第1のギャップの時間情報が計算されるので、SFN1は第1のギャップの開始フレーム番号を表す。T1は第1のギャップの周期を表し、gapOffsetは第1のギャップのオフセットを表し、FLOOR（）は切り捨て演算を表し、modはモジュロ演算、すなわち剰余演算を表す。式1は、第1のギャップの開始フレーム番号を計算するために使用される。計算結果をより正確にして開始サブフレームの位置を取得するために、本出願のこの実施形態では、以下の式も使用されてよい。
Subframe 1＝gapOffset mod 10（式2）
【００９６】
式2において、subframe 1は第1のギャップの開始サブフレーム番号を表す。したがって、式1および式2を使用することにより、端末デバイスは、第1のギャップの開始フレーム番号およびサブフレーム番号を計算することができ、それにより、第1のギャップの開始時間がより正確に特定される。
【００９７】
第1のギャップの開始時間が取得された後、端末デバイスはさらに、第1のギャップの開始時間および第1のギャップの長さに基づいて、第1のギャップの持続時間を計算することができる。たとえば、端末デバイスは、第1のギャップの開始時間および第1のギャップの時間長に基づいて第1のギャップの持続時間を特定し、第1のギャップの長さは、固定長、たとえば6ミリ秒（ms）であるか、または端末デバイスのためにネットワークデバイスによって構成された長さ、たとえば3msであってよい。
【００９８】
さらに、本出願のいくつかの実施形態では、端末デバイスにより、ステップ303において基準信号に基づいてセルの品質を取得するステップは、
端末デバイスにより、アクティブなBWPを特定するステップであって、アクティブなBWPが端末デバイス用に構成されたBWPの中の1つまたは複数のBWPである、ステップと、
端末デバイスが第1のギャップの持続時間を特定した後、端末デバイスにより、基準信号の周波数領域位置がアクティブなBWPの帯域幅範囲内にあるかどうかを判定するステップと、
基準信号の周波数領域位置がアクティブなBWPの帯域幅範囲内にある場合、端末デバイスにより、第1のギャップを非アクティブ化し、アクティブなBWPに対応する基準信号に基づいてセルの品質を取得するステップと
を含む。
【００９９】
端末デバイスは、ネットワークデバイスによってアクティブ化されたBWPを最初に特定し、次いで、端末デバイスが前述のステップを実行することによって第1のギャップの持続時間を計算した後、端末デバイスは、基準信号の周波数領域位置がアクティブなBWPの帯域幅範囲内にあるかどうかを判定する。基準信号の周波数領域位置がアクティブなBWPの帯域幅範囲内にある場合、それは、端末デバイスが、第1のギャップを使用することなく、基準信号に対応するセルの品質を取得することができることを示す。この場合、端末デバイスは第1のギャップを非アクティブ化することができる。本出願のこの実施形態では、端末デバイスはアクティブなBWPを特定することができ、それにより、ギャップ開始時間が短縮される。したがって、ネットワークデバイスと端末デバイスとの間のデータ送信の中断が低減される。
【０１００】
本出願のいくつかの実施形態では、端末デバイスにより、基準信号の周波数領域位置が前述の実施形態のアクティブなBWPの帯域幅範囲内にあるかどうかを判定するステップの後、本出願のこの実施形態において提供される方法は、以下の、
基準信号の周波数領域位置がアクティブなBWPの帯域幅範囲内にない場合、端末デバイスにより、第1のギャップをアクティブ化し、アクティブ化された第1のギャップ内にあり、基準信号に対応するセルの品質を取得するステップ
をさらに含む。
【０１０１】
基準信号の周波数領域位置がアクティブなBWPの帯域幅範囲内にない場合、それは、基準信号がアクティブなBWPの帯域幅範囲内にないことを示す。この場合、前述の第1のギャップが必要とされる。第1のギャップがアクティブ化された後、端末デバイスは、アクティブ化された第1のギャップ内にあり、基準信号に対応するセルの品質を取得することができる。本出願のこの実施形態では、端末デバイスは第1のギャップをアクティブ化することができ、それにより、第1のギャップ内のセルの品質が取得される。
【０１０２】
本出願のいくつかの実施形態では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含む。ステップ303において、端末デバイスにより、基準信号に基づいてセルの品質を取得するステップであって、端末デバイス用に構成されたBWPがセルに属する、ステップは、具体的に、以下の、
端末デバイスにより、端末デバイス用に構成されたBWPのアクティブ化時間周期および端末デバイス用に構成されたBWPのアクティブ化時間オフセットに基づいて、端末デバイス用に構成されたBWPの開始時間を特定するステップと、
端末デバイスにより、端末デバイス用に構成されたBWPの開始時間から、端末デバイス用に構成されたアクティブ化時間長内にあり、基準信号に対応するセルの品質を取得するステップと
を含んでよい。
【０１０３】
ネットワークデバイスは、端末デバイス用のBWPをアクティブ化することもでき、端末デバイスは、ネットワークデバイスからBWPのアクティブ化時間情報を受信する。BWPのアクティブ化時間情報は、以下のパラメータ：少なくとも1つのBWPのアクティブ化時間周期および少なくとも1つのBWPのアクティブ化時間オフセットのうちの少なくとも1つを含んでよい。少なくとも1つのBWPのアクティブ化時間は周期的に発生し、アクティブ化時間周期およびアクティブ化時間オフセットは、少なくとも1つのBWPのアクティブ化時間を計算するために一緒に使用することができる。具体的には、アクティブ化時間の開始時間は以下の式3に従って計算されてよい。
SFN2 mod T2＝FLOOR（timeoffset／10）（式3）
【０１０４】
式3において、BWPのアクティブ化時間が発生するフレームは、SFN2を使用して決定することができる。式3において、SFN2はアクティブ化時間の開始フレーム番号を表し、T2はアクティブ化時間周期を表し、アクティブ化時間オフセットはtimeoffsetによって表され、FLOOR（）は切り捨て演算を表し、modはモジュロ演算、すなわち剰余演算を表す。式3は、アクティブ化時間の開始フレーム番号を計算するために使用される。計算結果をより正確にして開始サブフレームの位置を取得するために、本出願のこの実施形態では、以下の式4も使用されてよい。
Subframe 2＝timeoffset mod 10（式4）
【０１０５】
式4において、subframe 2は、BWPのアクティブ化時間の開始サブフレーム番号を表す。したがって、式3および式4を使用することにより、BWPのアクティブ化時間の開始フレーム番号および開始サブフレーム番号を計算することができ、それにより、BWPのアクティブ化時間情報がより正確に決定される。
【０１０６】
本出願のいくつかの実施形態では、アクティブ化時間長はBWPのアクティブ化時間情報に含まれるか、またはアクティブ化時間長は端末デバイスによってローカルに構成される。BWP構成情報は、少なくとも1つのBWPのアクティブ化時間長に関する情報をさらに含んでよい。端末デバイスは、少なくとも1つのBWPの開始時間および少なくとも1つのBWPのアクティブ化時間長に基づいて、少なくとも1つのBWPのアクティブ化持続時間を特定することができ、少なくとも1つのBWPのアクティブ化持続時間は、端末デバイスとネットワークデバイスとの間のデータ送信に使用される。
【０１０７】
本発明のいくつかの実施形態では、BWP構成情報は、BWPの数がNであり、Nが2以上であり、N個のBWPの各々の帯域幅が構成された被測定基準信号を含むことをさらに含み、ステップ303において、端末デバイスにより、基準信号に基づいてセルの品質を取得するステップであって、端末デバイス用に構成されたBWPがセルに属する、ステップは、
端末デバイスにより、測定期間内に、サンプリング時点でアクティブ化されたBWPの帯域幅範囲内の基準信号に対応するM個のサンプリング結果を取得するステップであって、Mが正の整数である、ステップと、
端末デバイスにより、M個のサンプリング結果に基づいてセルの品質を計算するステップと
を含む。
【０１０８】
端末デバイスのアクティブなBWPがアクティブ化期間内に変更された場合、端末デバイスは、異なる基準信号の測定サンプリング値を取得することができる。端末デバイスは、測定期間内に、複数のBWPに対応する基準信号の複数のサンプリング結果を取得することができ、端末デバイスは、複数のBWPのサンプリング結果をセルの品質として使用することができる。したがって、端末デバイスは、ギャップを開始することなく、セルの品質の測定を実施することができる。
【０１０９】
さらに、本発明のいくつかの実施形態では、ステップ303において、端末デバイスにより、M個のサンプリング結果に基づいてセルの品質を計算するステップは、
端末デバイスにより、M個のサンプリング結果からH個のサンプリング結果を抽出するステップであって、HがMより小さく、H個のサンプリング結果が、第1のBWPに対応する基準信号をサンプリングすることによって取得されたサンプリング結果であり、第1のBWPがデフォルトのBWPまたは最初のBWPである、ステップと、
端末デバイスにより、H個のサンプリング結果に基づいてセルの品質を計算するステップと
を含む。
【０１１０】
端末デバイスは、複数のサンプリング結果を取得し、たとえば、M個のサンプリング結果を取得する。端末デバイスはさらに、M個のサンプリング結果からH個のサンプリング結果を選択することができ、選択されたサンプリング結果は、デフォルトのBWPまたは最初のBWPに対応するサンプリング結果であってよい。デフォルトのBWPは、データ送信が終了した後の特定の時間周期内に端末デバイスによって返されるBWPであり、最初のBWPは、端末デバイスが最初のアクセス中に使用されるBWPである。デフォルトのBWPまたは最初のBWPに対応するH個のサンプリング結果に基づいて計算されたセルの品質は、サービングセルの実際の信号品質をよりよく示すことができ、それにより、セルの品質の計算精度が向上する。
【０１１１】
前述の実施形態における本出願の例の説明から、端末デバイスが、ネットワークデバイスによって送信された基準信号構成情報およびBWP構成情報を取得し、端末デバイスが、基準信号構成情報に基づいて被測定基準信号を特定し、BWP構成情報に基づいて、端末デバイス用に構成されたBWPを特定し、端末デバイスが、基準信号に基づいてセルの品質を取得し、端末デバイス用に構成されたBWPがセルに属することが分かる。端末デバイスは、基準信号構成情報およびBWP構成情報を構文解析することができるので、端末デバイスは、基準信号に基づいてセルの品質を取得することができる。したがって、本出願のこの実施形態では、基準信号は測定ギャップを開始することなく測定することができ、それにより、測定ギャップのアクティブ化が低減され、端末デバイスのデータ受信およびデータ送信が低減される。
【０１１２】
本出願の実施形態における前述の解決策をよりよく理解し実装するために、対応するアプリケーションシナリオが具体的な説明のための以下の例として使用される。
【０１１３】
図4は、本出願の一実施形態による、BWP実装形態の概略図である。ネットワークデバイスによって送信される基準信号は、具体的にはSSであってよい。SS送信には同期信号セットの周期性が存在する。1つのSSセット周期性は複数の同期信号バースト（SS burst）を含み、各同期信号バーストは複数の同期信号ブロック（SS block）を含む。本出願のこの実施形態では、1つのセルは、複数のBWP、たとえば、BWP1およびBWP2を含んでよい。各BWPがSSで構成されることが可能であるか、またはいくつかのBWPのみがSSで構成されることが可能である。
【０１１４】
本出願のこの実施形態において提供される基準信号処理方法は、（後続の実施形態ではGAPと呼ばれる場合もある）測定ギャップを回避または低減することができる。本出願のこの実施形態では、ギャップを低減するための様々な方法があってよい。1．端末デバイスは、アクティブなBWPに基づいて、GAPが開始される必要があるかどうかを判定する。具体的な内容については、図5に示された実施形態を参照されたい。2．ネットワークデバイスは、BWPの周期的なアクティブ化時間周期を構成し、端末デバイスは、GAPの開始を回避するために、この時間周期内に測定を実行する。具体的な内容については、図6に示された実施形態を参照されたい。3．端末デバイスは、GAPの開始を回避するために、複数のアクティブなBWPの基準信号を使用して測定を実行する。具体的な内容については、図7に示された実施形態を参照されたい。
【０１１５】
図5は、本発明の一実施形態による、基準信号構成方式の概略図である。構成方式は、主に以下のプロセスを含んでよい。
【０１１６】
ステップ10：ネットワークデバイスが、BWP構成情報および被測定基準信号構成情報を端末デバイスに送信する。端末デバイスは、ネットワークデバイスによって構成されたBWPセットを受信し、BWPセットはBWP構成情報の1つまたは複数のピースを含む。少なくとも1つのBWPは対応する基準信号を含む。基準信号はSSまたはCSI−RSである。被測定基準信号情報はSSまたはCSI−RSであってよい。基準情報構成情報は、SSまたはCSI−RSなどの基準情報タイプであってよい。基準信号構成情報は、基準信号の周期および／または周波数領域位置をさらに含んでよい。
【０１１７】
ステップ20：ネットワークデバイスが、端末デバイス用のGAPパラメータを構成し、GAPパラメータは、基準信号の測定において端末デバイスを支援するために使用される。
【０１１８】
この場合、GAPパラメータは、GAPの周期情報、およびGAPのオフセットを含んでよい。GAPは周期的に発生し、GAPの位置は、GAPのオフセットおよび周期に一緒に基づいて計算することができる。たとえば、前述の実施形態では、それは式1および式2に示されている。詳細は本明細書では再び記載されない。
【０１１９】
端末デバイスは、計算されたGAP開始時間およびGAP長情報に基づいてGAPの時間位置を特定する。GAP長情報は、固定長、たとえば6ms、または端末デバイスのためにネットワークによって構成された長さ、たとえば3msであってよい。
【０１２０】
端末デバイスは、GAPの時間位置に基づいて、その時間位置において、端末がサービングセルまたはアクティブなBWP向けのデータ受信およびデータ送信を停止し、この時間周期内にターゲット基準信号を測定することを決定する。
【０１２１】
GAPパラメータは、GAP内で、基準信号関連付け情報に関連付けられた基準情報を測定するように端末デバイスに指示するために、GAPに対応する基準信号関連付け情報をさらに含む。基準信号関連付け情報は、具体的に、周波数情報であってよい。基準信号関連付け情報に関連付けられた基準情報は、周波数に含まれる基準信号であってよい。
【０１２２】
ステップ30：端末デバイスがGAPパラメータを受信し、GAPパラメータおよびアクティブなBWPに基づいてセルの品質を取得する。
【０１２３】
端末デバイスは、GAPの時間位置においてサービングセルまたはアクティブなBWP向けの受信および送信を中断する必要があるかどうかを判定する必要がある。GAPの時間位置において、端末デバイスのアクティブなBWPおよび被測定基準情報が第1の所定の条件を満たす場合、端末デバイスは、GAPを非アクティブ化することを決定する、すなわち、サービングセルまたはアクティブなBWP向けのデータ受信およびデータ送信は中断される必要がない。そうでない場合、端末デバイスは、GAPがアクティブ化される必要がある、すなわち、サービングセルまたはアクティブなBWP向けのデータ受信およびデータ送信が中断される必要があると判断する。
【０１２４】
第1の所定の条件は以下を含む：被測定基準信号の周波数領域位置がアクティブなBWPの帯域幅に含まれる。アクティブなBWPと被測定基準信号の中心周波数が同じである。アクティブなBWPと被測定基準信号のサブキャリア間隔が同じである。
【０１２５】
場合によっては、前述の決定は、被測定基準信号がGAPに関連付けられた基準信号に属するときにのみ実行される。
【０１２６】
本出願のいくつかの実施形態では、GAPはいくつかの測定対象のみを測定するように構成されてよく、これらの測定対象に含まれる基準信号は、GAPに関連付けられた基準信号と見なされてよいことに留意されたい。GAPがアクティブ化される必要がある場合、端末デバイスはGAPをアクティブ化し、セルの品質を取得するために、GAPに属する測定信号の測定がGAP内で実行される。GAPがアクティブ化される必要がない場合、端末デバイスはセルの品質を直ちに取得する。
【０１２７】
前述の例の説明から、端末デバイスがアクティブなBWPをさらに特定し、それにより、GAP開始時間が短縮されることが分かる。
【０１２８】
図6は、本発明の一実施形態による、別の基準信号構成方式の概略図である。構成方式は、主に以下のステップを含む。
【０１２９】
ステップ20：ネットワークデバイスが、端末デバイス用のBWP構成情報および周期的なアクティブ化時間情報を構成する。端末デバイスは、ネットワークデバイスによって構成されたBWPセットを受信し、BWPセットはBWP構成情報の1つまたは複数のピースを含む。
【０１３０】
少なくとも1つのBWPの周波数帯域は被測定基準信号を含む。基準信号はSSまたはCSI−RSである。
【０１３１】
ネットワークデバイスは、少なくとも1つのBWP用の周期的なアクティブ化時間情報をさらに構成する。周期的なアクティブ化時間情報は、アクティブ化時間の周期情報およびアクティブ化時間のオフセットを含んでよい。アクティブ化時間は周期的に発生し、アクティブ化時間の位置は、アクティブ化時間の周期およびオフセットに一緒に基づいて計算することができる。具体的な計算プロセスは、前述の実施形態における式3および式4に示されている。
【０１３２】
場合によっては、BWP構成情報は、少なくとも1つのBWPのアクティブ化時間長に関する情報をさらに含む。
【０１３３】
ステップ21：端末デバイスが、少なくとも1つのBWPのアクティブ化時間にBWPをアクティブ化し、BWPに含まれる基準信号のセルの品質を取得する必要がある。
【０１３４】
端末デバイスは、構成情報に基づいてBWPの開始時点を計算し、BWPのアクティブ化時間長を特定する。アクティブ化時間長は、事前定義された時間長であってもよく、構成情報内で搬送されるアクティブ化時間長であってもよい。端末デバイスは、アクティブ化時間長内で、基準情報に対応するセルの品質を取得する。
【０１３５】
前述の例の説明から、BWPの周期的なアクティブ化時間が構成され、それにより、BWP内の端末デバイスの測定時間が保証されることが分かる。
【０１３６】
図7は、本発明の一実施形態による、また別の基準信号構成方式の概略図である。構成方式は、主に以下のプロセスを含む。
【０１３７】
ステップ30：ネットワークデバイスが、BWP構成情報および被測定基準信号構成情報を端末デバイスに送信する。
【０１３８】
ステップ31：端末デバイスが、ネットワークデバイスによって構成されたBWPセットを受信し、BWPセットはBWP構成情報の1つまたは複数のピースを含む。
【０１３９】
少なくとも1つのBWPは対応する基準信号を含む。基準信号はSSまたはCSI−RSである。
【０１４０】
被測定基準信号情報はSSまたはCSI−RSであってよい。
【０１４１】
基準情報構成情報は、SSまたはCSI−RSなどの基準情報タイプであってよい。
【０１４２】
基準信号構成情報は、基準信号の周期および／または周波数領域位置をさらに含んでよい。
【０１４３】
ステップ32：端末デバイスが基準信号構成に基づいてセルの品質を取得する。
【０１４４】
端末デバイスは、ネットワークデバイスによって構成されたBWPセットを受信し、BWPセットはBWP構成情報の1つまたは複数のピースを含む。
【０１４５】
各BWPが対応する基準信号を含むとき、端末デバイスは、複数のBWPの基準信号に基づいてセルの品質を取得する。基準信号はSSまたはCSI−RSである。
【０１４６】
測定期間内に、端末デバイスは、アクティブなBWPに含まれる基準信号に基づいてサンプリング結果を取得する。端末デバイスが測定期間内に複数のアクティブなBWPを有する場合、複数のBWPの測定サンプルが存在してよい。端末デバイスはこれらのサンプルに基づいてセルの品質を取得する。端末デバイスはこの期間内にN個のサンプリング値を有してよい。M個のサンプリング値がセルの品質を計算するために必要であり、MがN以下である場合、Mは、以下の規則：デフォルトのBWPおよび最初のBWPのサンプリング基本設定に従ってNから選択されてよい。デフォルトのBWPは端末デバイスのためにネットワークによって構成され、最初のBWPは、端末デバイスが最初のアクセス中に使用されるBWPである。
【０１４７】
端末デバイスは、セルの品質を取得するために、選択されたサンプリング結果に対して平均計算を実行する。
【０１４８】
たとえば、4つのサンプリング結果を取得するために、測定期間内に4回の測定サンプリングが実行された場合、端末デバイスは、これらの測定結果に対して平均計算を実行し、平均結果をこの期間内のセルの品質として使用する。
【０１４９】
上述の例の説明から、複数のBWPの測定結果がセルの品質として使用され、それにより、GAPの使用が低減されることが分かる。
【０１５０】
本出願のこの実施形態はさらに、以下の問題を解決することができる：測定イベントに対応するブラックリストおよびホワイトリストと、測定対象レベルのブラックリストおよびホワイトリストとを組み合わせて、端末デバイスによって測定される必要があり、サービングセルに含まれるBWPまたは必要な隣接セルの基準信号が特定される。測定イベント構成BWP指示は、測定イベントがサービングセル内のBWP用であることを特定するために使用される。ネットワークデバイスは、セル測定結果計算およびビーム報告が実行されるときに、ビーム選択のための測定量を指定することができる。
【０１５１】
図8は、本発明の一実施形態による、さらに別の基準信号構成方式の概略図である。構成方式は、主に以下のプロセスを含む。
【０１５２】
ステップ40：ネットワークデバイスが、端末デバイス用の被測定基準信号構成情報を構成する。被測定基準信号情報はSSまたはCSI−RSであってよい。
【０１５３】
被測定基準情報構成情報は測定対象に含まれ、測定対象構成は、たとえば、以下の構成：
被測定基準信号のタイプ、たとえば、SSまたはCSI−RS、および
ブラックリスト情報またはホワイトリスト情報
の少なくとも1つまたは組合せを含んでよく、ネットワークデバイスが端末デバイス用のブラックリストを構成している場合、測定対象が測定されると、端末デバイスはブラックリスト内のセルを無視し、またはネットワークデバイスが端末デバイス用のホワイトリストを構成している場合、測定対象が測定されると、端末デバイスはホワイトリスト内のセルのみを考慮し、他のセルは考慮しない。
【０１５４】
ネットワークデバイスは、端末デバイス用の測定評価パラメータをさらに構成し、測定評価パラメータは、以下の構成情報の少なくとも1つまたは組合せを含む。
セル測定結果の計算に使用される最大ビーム量N（セル測定結果はビーム測定結果を組み合わせることによって取得される）、場合によっては、最大ビーム量が構成されていない場合、端末デバイスはデフォルトでN＝1を使用してよい。
セル測定結果の計算に使用される測定しきい値（H）。
ビームソーティング用の測定量（Q）、たとえば、ビームソーティング用の測定量は、基準信号受信電力（Reference Signal Receiving Power、RSRP）、基準信号受信品質（Reference Signal Receiving Quality、RSRQ）、または、ビームの信号対干渉プラスノイズ比（Signal to Interference plus Noise Ratio、SINR）であってよく、現在、ビーム測定結果に基づいてセル測定結果を計算することも、ビーム測定結果を報告することも、最良のビームセットを選択するためにビームソーティングを実行する必要があり、しかしながら、RSRP、RSRQ、またはSINRに基づいてソーティングが実行されると、最良のビームセットに含まれるビームが変更される場合があり、この場合、ソーティングに使用される測定量が指定されている場合、セル測定結果の計算に使用されるビームセットまたはビーム報告に対応するビームセットが一意に決定される。
報告される必要がある測定量（M）：RSRQ、RSRP、またはSINRのうちの1つまたは任意の組合せ。
測定イベントのトリガリングの基礎となる測定量を決定するために端末デバイスによって使用される、測定イベントをトリガするための測定量（T）。
【０１５５】
ビームソーティング用の測定量（Q）、測定イベントをトリガするための測定量（T）、および報告される必要がある測定量（M）は、測定対象内で構成されることに限定されず、代替として、Q、T、およびMが属する端末デバイスに測定構成を介してネットワークデバイスによって送信されてよい。たとえば、Q、T、およびMは、測定構成および報告構成、測定量構成、または測定トリガ構成内で搬送される。本発明では制限は課されない。
【０１５６】
ステップ41：ネットワークデバイスが、端末デバイス用の測定トリガ情報を構成し、測定トリガ情報は、イベントトリガ情報または周期的な測定構成情報を含み、イベントトリガ情報は、被測定基準信号に基づいて測定および報告をトリガするように端末デバイスに指示するために使用され、周期的な測定構成は、周期に基づいて測定および報告を実行するように端末デバイスに指示するために使用される。
【０１５７】
測定イベントは、測定ターゲットと測定基準を比較するために使用される。比較結果が所定の条件を満たすとき、測定結果は報告される必要があると判断される。測定ターゲットは、サービングセルまたは隣接セルであってよい。測定基準は、サービングセル側の測定信号しきい値または測定結果であってよい。端末デバイスは、測定ターゲットに対応するセルの測定結果を最初に特定し、次いで、測定イベントがトリガされたかどうかを判定する必要がある。たとえば、測定ターゲットが測定対象1に含まれるセルである場合、端末デバイスは、測定対象1に対応する周波数上でセルを探索し、セル測定結果を測定基準と比較する。セル測定結果が測定基準より大きいかまたは小さい場合、測定イベント報告がトリガされる。
【０１５８】
場合によっては、イベントトリガ情報は、測定イベント用のブラックリストまたはホワイトリストをさらに含む。
【０１５９】
ステップ42：端末デバイスが測定構成情報を受信し、測定構成情報は、基準信号構成、測定評価パラメータ、および測定トリガ情報を含み、端末デバイスは、基準信号構成、測定評価パラメータ、および測定トリガ情報に基づいて測定および報告を実行する。
【０１６０】
端末デバイスは、測定構成情報に基づいて、以下のパラメータのうちの1つまたは組合せを特定する。
被測定基準信号のタイプ、たとえば、SSまたはCSI−RS。
セル測定結果の計算に使用される最大ビーム量N（セル測定結果はビーム測定結果を組み合わせることによって取得される）、場合によっては、最大ビーム量が構成されていない場合、端末デバイスはデフォルトでN＝1を使用してよい。
セル測定結果の計算に使用される測定しきい値（H）。
ビームソーティング用の測定量（Q）。
報告される必要がある測定量（M）。
測定イベントをトリガするための測定量（T）。
【０１６１】
端末デバイスは、測定構成パラメータに基づいて測定および報告を実行する。
【０１６２】
場合によっては、測定ターゲットのセルが測定されるとき、測定対象に含まれるブラックリストまたはホワイトリストに基づいて、被測定セルが特定される必要がある。測定イベントの構成がブラックリストまたはホワイトリストの構成を含む場合、端末デバイスは、測定対象内のブラックリストまたはホワイトリストおよび測定イベント内のブラックリストまたはホワイトリストに基づいて、使用されるべきブラックリストまたはホワイトリストのセルを最終的に決定する必要がある。
【０１６３】
具体的には、測定イベントがホワイトリストを含むとき、測定対象内のホワイトリストは無視され、測定イベントによって指定されたホワイトリストのみが使用される。
【０１６４】
測定イベントがブラックリストを含むとき、測定対象内のブラックリストおよび測定イベント内のブラックリストは、使用するために組み合わされる。
【０１６５】
端末デバイスは、最終的に決定されたブラックリストまたはホワイトリストに基づいて測定を実行し、測定ターゲットに対応するセルの品質を取得し、セルの品質と測定ソースとの間の比較に基づいて、測定イベントをトリガするかどうかを判定する。異なる測定イベントの場合、異なるブラックリストおよびホワイトリストが存在してよい。同じ測定対象の場合、たとえば、イベント1はローカルセルの基準信号ではない基準信号用のみであってよく、イベント2はローカルセルの基準信号用のみであってよい。
【０１６６】
場合によっては、端末デバイスが測定ターゲットのセルの測定を実行するとき、セル測定結果は、セルのビームに基づいて計算される必要がある。端末デバイスは最初に、ネットワークデバイスによって構成されたパラメータに基づいて、
端末デバイスにより、N、H、およびQに基づいて、セル測定結果を計算するために使用されるビームを決定すること
を含む、セル測定結果の計算を実行する。
【０１６７】
端末デバイスは、Qによって指定された測定量（RSRQ、RSRP、またはSINR）に基づいて、セル内のビームをソートする。
【０１６８】
最初にランク付けされたビームが第1のビームとして使用され、測定結果がしきい値Hより大きく、総量が（N−1）以下のビームが、第2のビームセットとして他のビームから選択される。
【０１６９】
セル測定結果は、報告量内で指定された量（たとえば、RSRQ、RSRP、またはSINRのうちの1つまたは任意の組合せ）に基づいて、第2のビームセットを使用して計算される。
【０１７０】
N＝1である場合、第1のビームの測定結果がセルの品質として使用される。N＞1である場合、第1のビームおよび第2ビームのセットがセルの品質として平均化される。
【０１７１】
場合によっては、測定結果を報告するとき、端末デバイスは、報告されるべきビームのセットを決定する必要がある。端末デバイスは、QまたはTによって指定された測定量（たとえば、RSRQ、RSRP、またはSINR）に基づいてセル内のビームをソートし、ソーティング結果に基づいてビームセットを報告する。
【０１７２】
具体的には、端末デバイスは、しきい値Hおよび報告されたビームの最大量Xに基づいて、しきい値Hより大きく、その量がX以下のビームを報告することを決定する。Xは端末デバイスのためにネットワークデバイスによって指定された報告量である。端末デバイスは、各ビームに対応する測定結果をネットワークデバイス側に報告する。
【０１７３】
たとえば、QまたはTによって指定された測定量は、RSRQ、H＝−98dbm、およびX＝3である。端末デバイスによって測定された5つのビームが存在する場合、端末デバイスはRSRQ測定結果に基づいて5つのビームをソートし、その測定結果が−98より大きい2つのビームが存在し、セットに報告されるビームとして最良の2つのビームが使用される。その測定結果が−98より大きい4つのビームが存在する場合、最良の3つのビームが選択され報告される。すべてのビームの測定結果がしきい値−98未満である場合、端末デバイスは最良のビームのみを報告する。
【０１７４】
場合によっては、端末デバイスは最初に、報告された測定量（M）によって指定された測定量に基づいて、各測定量に対応する最良のビームを報告されるビームのセットに追加し、次いで、QまたはTによって指定され測定量に基づいて残りのビームをソートし、ソーティング結果に基づいて、残りのビームに含まれ、報告されるビームのセット内に配置されるべきビームを決定する。
【０１７５】
場合によっては、端末デバイスがQまたはTによって指定された測定量（たとえば、RSRQ、RSRP、またはSINR）に基づいてセル内のビームをソートすることは、端末デバイスによる、測定トリガタイプに基づいてTおよびQを選択することをさらに含んでよい。たとえば、イベント測定結果の場合、端末デバイスはTに基づいて報告されるべきビームをソートし、周期的な測定の場合、端末デバイスはQに基づいて報告されるべきビームをソートする。
【０１７６】
場合によっては、端末デバイスは、報告された測定量（M）の構成に基づいてセル内のビームをソートする。測定量Mが1つの測定量のみを含むと端末デバイスが判断した場合、端末デバイスは、測定量に基づいてビームソーティングを実行し、ビームソーティング結果に基づいて、セルの品質を計算するか、または報告されるべきビームセットを決定する。
【０１７７】
この実施形態では、ビームソーティングに使用される測定量が指定され、それにより、端末デバイスがビームソーティング中に一貫したソーティング基準を有することが保証される。加えて、ブラックリストおよびホワイトリストが測定イベント用に構成され、その結果、異なる測定イベントは異なるブラックリストおよびホワイトリストで構成されてよい。
【０１７８】
説明を簡単にするために、前述の方法実施形態は一連の動作として表されたことに留意されたい。しかしながら、本出願によれば、いくつかのステップは他の順序で、または同時に実行されてよいので、本出願は、記載された順序の動作に限定されないことを、当業者は知るべきである。本明細書に記載された実施形態はすべて好ましい実施形態に属し、関連する動作およびモジュールは必ずしも本出願によって必要とされていないことも、当業者は知るべきである。
【０１７９】
本出願のこの実施形態において前述の解決策をよりよく実施するために、前述の解決策を実施するように構成された関連装置が以下でさらに提供される。
【０１８０】
図9は、本出願の一実施形態による、ネットワークデバイス900を示す。ネットワークデバイス900は、処理モジュール901および送信モジュール902を含んでよい。
【０１８１】
処理モジュール901は、端末デバイス用に構成された被測定基準信号、および端末デバイス用に構成された少なくとも1つの帯域幅部分BWPを決定するように構成され、基準信号の周波数領域位置は少なくとも1つのBWPの帯域幅範囲内にある、
【０１８２】
処理モジュール901は、被測定基準信号に基づいて基準信号構成情報を生成し、少なくとも1つのBWPに基づいてBWP構成情報を生成するようにさらに構成される。
【０１８３】
送信モジュール902は、基準信号構成情報およびBWP構成情報を端末デバイスに送信するように構成される。
【０１８４】
本発明のいくつかの実施形態では、処理モジュール901は、端末デバイス用に構成された第1のギャップの周期および第1のギャップのオフセットを決定するようにさらに構成され、第1のギャップは基準信号を送信するためにネットワークデバイスによって使用される。
【０１８５】
送信モジュール902は、ギャップ構成情報を端末デバイスに送信するようにさらに構成され、ギャップ構成情報は第1のギャップの周期および第1のギャップのオフセットを含む。
【０１８６】
本発明のいくつかの実施形態では、処理モジュール901は、第1のギャップの周期および第1のギャップのオフセットに基づいて第1のギャップの開始時間を計算することと、第1のギャップの開始時間および第1のギャップの長さに基づいて第1のギャップの持続時間を計算することと、基準信号の周波数領域位置が第1のギャップの持続時間内でアクティブなBWPの帯域幅範囲内にあるかどうかを判定することと、基準信号の周波数領域位置が第1のギャップの持続時間内でアクティブなBWPの帯域幅範囲内にある場合、第1のギャップを非アクティブ化することを決定することとを行うように構成される。
【０１８７】
本発明のいくつかの実施形態では、基準信号構成情報は、以下のパラメータ：基準信号のタイプパラメータ、基準信号の周期パラメータ、および基準信号の周波数領域位置パラメータのうちの少なくとも1つを含む。
【０１８８】
本発明のいくつかの実施形態では、BWP構成情報は、少なくとも1つのBWPの周波数情報および少なくとも1つのBWPの帯域幅情報を含む。
【０１８９】
本発明のいくつかの実施形態では、BWP構成情報は、基準信号と少なくとも1つのBWPとの間の対応関係を含む。
【０１９０】
本発明のいくつかの実施形態では、BWP構成情報はBWPのアクティブ化時間情報を含み、
BWPのアクティブ化時間情報は、以下のパラメータ：少なくとも1つのBWPのアクティブ化時間周期および少なくとも1つのBWPのアクティブ化時間オフセットのうちの少なくとも1つを含む。
【０１９１】
本発明のいくつかの実施形態では、処理モジュール901は、少なくとも1つのBWPのアクティブ化時間周期および少なくとも1つのBWPのアクティブ化時間オフセットに基づいて、少なくとも1つのBWPの開始時間を計算するように構成される。
【０１９２】
処理モジュール901は、少なくとも1つのBWPの開始時間および少なくとも1つのBWPのアクティブ化時間長に基づいて、少なくとも1つのBWPのアクティブ化持続時間を決定するようにさらに構成され、少なくとも1つのBWPのアクティブ化持続時間は、ネットワークデバイスと端末デバイスとの間のデータ送信に使用される。
【０１９３】
図10は、本出願の一実施形態による、端末デバイス1000を示す。端末デバイス1000は、受信モジュール1001および処理モジュール1002を含んでよい。
【０１９４】
受信モジュール1001は、ネットワークデバイスによって送信された基準信号構成情報および帯域幅部分BWP構成情報を取得するように構成される。
【０１９５】
処理モジュール1002は、基準信号構成情報に基づいて被測定基準信号を特定し、BWP構成情報に基づいて、端末デバイス用に構成されたBWPを特定するように構成される。
【０１９６】
処理モジュール1002は、基準信号に基づいてセルの品質を取得するように構成され、端末デバイス用に構成されたBWPはセルに属する。
【０１９７】
本発明のいくつかの実施形態では、受信モジュール1001は、ネットワークデバイスによって送信されたギャップ構成情報を取得するようにさらに構成され、ギャップ構成情報は第1のギャップの周期情報および第1のギャップのオフセット情報を含む。
【０１９８】
処理モジュール1002は、第1のギャップの周期情報および第1のギャップのオフセット情報に基づいて、第1のギャップの持続時間を特定するようにさらに構成される。
【０１９９】
本発明のいくつかの実施形態では、処理モジュール1002は、アクティブなBWPを特定することであって、アクティブなBWPが端末デバイス用に構成されたBWPの中の1つまたは複数のBWPである、特定することと、端末デバイスが第1のギャップの持続時間を特定した後、基準信号の周波数領域位置がアクティブなBWPの帯域幅範囲内にあるかどうかを判定することと、基準信号の周波数領域位置がアクティブなBWPの帯域幅範囲内にある場合、第1のギャップを非アクティブ化し、アクティブなBWPに対応する基準信号に基づいてセルの品質を取得することとを行うように構成される。
【０２００】
本発明のいくつかの実施形態では、基準信号の周波数領域位置がアクティブなBWPの帯域幅範囲内にあるかどうかを判定した後、処理モジュール1002は、基準信号の周波数領域位置がアクティブなBWPの帯域幅範囲内にない場合、第1のギャップをアクティブ化し、アクティブ化された第1のギャップ内にあり、基準信号に対応するセルの品質を取得するように構成される。
【０２０１】
本発明のいくつかの実施形態では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含む。処理モジュール1002は、端末デバイス用に構成されたBWPのアクティブ化時間周期および端末デバイス用に構成されたBWPのアクティブ化時間オフセットに基づいて、端末デバイス用に構成されたBWPの開始時間を特定することと、端末デバイス用に構成されたBWPの開始時間から、端末デバイス用に構成されたアクティブ化時間長内にあり、基準信号に対応するセルの品質を取得することとを行うように構成される。
【０２０２】
本発明のいくつかの実施形態では、アクティブ化時間長はBWPのアクティブ化時間情報に含まれるか、またはアクティブ化時間長は端末デバイスによってローカルに構成される。
【０２０３】
本発明のいくつかの実施形態では、BWP構成情報は以下をさらに含む：BWPの量がNであり、Nが2以上であるとき、N個のBWPの各々の帯域幅は構成された被測定基準信号を含む。処理モジュール1002は、具体的に、測定期間内に、サンプリング時でアクティブ化されたBWPの帯域幅範囲内の基準信号に対応するM個のサンプリング結果を取得することであって、Mが正の整数である、取得することと、M個のサンプリング結果に基づいてセルの品質を計算することとを行うように構成される。
【０２０４】
本発明のいくつかの実施形態では、処理モジュール1002は、具体的に、M個のサンプリング結果からH個のサンプリング結果を抽出することであって、HがMより小さく、H個のサンプリング結果が、第1のBWPに対応する基準信号をサンプリングすることによって取得されたサンプリング結果であり、第1のBWPがデフォルトのBWPまたは最初のBWPである、抽出することと、H個のサンプリング結果に基づいてセルの品質を計算することとを行うように構成される。
【０２０５】
前述の実施形態における本出願の例の説明から、端末デバイスが、ネットワークデバイスによって送信された基準信号構成情報およびBWP構成情報を取得し、端末デバイスが、基準信号構成情報に基づいて被測定基準信号を特定し、BWP構成情報に基づいて、端末デバイス用に構成されたBWPを特定し、端末デバイスが、基準信号に基づいてセルの品質を取得し、端末デバイス用に構成されたBWPがセルに属することが分かる。端末デバイスは、基準信号構成情報およびBWP構成情報を構文解析することができるので、端末デバイスは、端末デバイス用に構成されたBWPに基づいて、基準信号に対応するセルの品質を取得することができる。したがって、本出願のこの実施形態では、基準信号は測定ギャップを開始することなく測定することができ、それにより、測定ギャップのアクティブ化が低減され、端末デバイスのデータ受信およびデータ送信が低減される。
【０２０６】
装置のモジュール／ユニット間の情報交換およびその実行プロセスなどの内容は、本出願の方法実施形態と同じアイデアに基づき、本出願の方法実施形態と同じ技術的効果をもたらすことに留意されたい。具体的な内容については、本出願の方法実施形態における前述の説明を参照されたく、詳細は本明細書では再び記載されない。
【０２０７】
本出願の一実施形態はコンピュータ記憶媒体をさらに提供し、コンピュータ記憶媒体はプログラムを記憶し、プログラムは、前述の方法実施形態で記録されたステップの一部またはすべてを実行する。
【０２０８】
本出願の実施形態において提供される別のネットワークデバイスが以下に記載される。図11に示されたように、ネットワークデバイス1100は、
受信機1101、送信機1102、プロセッサ1103、およびメモリ1104（ネットワークデバイス1100には1つまたは複数のプロセッサ1103が存在する場合があり、図11では一例として1つのプロセッサが使用される）
を含む。本出願のいくつかの実施形態では、受信機1101、送信機1102、プロセッサ1103、およびメモリ1104は、互いに接続されていてよい。
【０２０９】
メモリ1104は、読取り専用メモリおよびランダムアクセスメモリを含み、プロセッサ1103に命令およびデータを供給することができる。メモリ1104の一部は、不揮発性ランダムアクセスメモリ（英語：Non−Volatile Random Access Memory、略してNVRAM）をさらに含んでよい。メモリ1104は、オペレーティングシステムおよび動作命令、ならびに実行可能モジュールもしくはデータ構造、またはそのサブセットもしくは拡張セットを記憶し、動作命令は、様々な動作命令を含んでよく、様々な動作を実施するために使用される。オペレーティングシステムは様々なシステムプログラムを含んでよく、システムプログラムは、様々な基本サービスを実施し、ハードウェアベースのタスクを処理するために使用される。
【０２１０】
プロセッサ1103はネットワークデバイスの動作を制御する。プロセッサ1103は、中央処理装置（英語：Central Processing Unit、略してCPU）と呼ばれる場合もある。特定のアプリケーションでは、ネットワークデバイスの構成要素はバスシステムを使用して一緒に結合される。データバスに加えて、バスシステムは、電力バス、制御バス、状態信号バスなどをさらに含んでよい。しかしながら、説明を明確にするために、図では様々なバスはバスシステムとしてマークされる。
【０２１１】
本出願の前述の実施形態で開示された方法は、プロセッサ1103に適用されるか、またはプロセッサ1103によって実施されてよい。プロセッサ1103は集積回路チップであってよく、信号処理能力を有する。実施プロセスでは、方法のステップは、プロセッサ1103内のハードウェアの集積論理回路により、またはソフトウェアの命令によって実施されてよい。プロセッサ1103は、汎用プロセッサ、デジタル信号プロセッサ（英語：digital signal processing、略してDSP）、特定用途向け集積回路（英語：Application Specific Integrated Circuit、略してASIC）、フィールドプログラマブルゲートアレイ（英語：Field−Programmable Gate Array、略してFPGA）もしくは別のプログラマブル論理デバイス、個別ゲートもしくはトランジスタ論理デバイス、または個別ハードウェアアセンブリであってよい。プロセッサは、本出願の実施形態で開示された方法、ステップ、および論理ブロック図を実装または実行することができる。汎用プロセッサはマクロプロセッサであってよく、またはプロセッサは任意の従来のプロセッサなどであってよい。本出願の実施形態を参照して開示された方法のステップは、ハードウェア復号プロセッサを使用して直接実行および遂行されてもよく、復号プロセッサ内のハードウェアモジュールとソフトウェアモジュールの組合せを使用して実行および遂行されてもよい。ソフトウェアモジュールは、ランダムアクセスメモリ、フラッシュメモリ、読取り専用メモリ、プログラマブル読取り専用メモリ、電気的消去可能プログラマブルメモリ、レジスタなどの、当技術分野の成熟記憶媒体内に配置されてよい。記憶媒体はメモリ1104内に位置し、プロセッサ1103はメモリ1104内の情報を読み取り、プロセッサのハードウェアと組み合わせて前述の方法におけるステップを完了する。
【０２１２】
受信機1101は、入力された数字または文字の情報を受け取り、ネットワークデバイスの関連する設定および機能制御に関する信号入力を生成するように構成されてよい。送信機1102は、表示デバイス、たとえば、表示画面を含んでよく、外部インターフェースを使用して数字または文字の情報を出力するように構成されてよい。
【０２１３】
本出願のこの実施形態では、プロセッサ1103は、前述の実施形態においてネットワークデバイス側で実行される基準信号処理方法を実行するように構成される。
【０２１４】
本出願の実施形態において提供される別の端末デバイスが以下に記載される。図12に示されたように、端末デバイス1200は、
受信機1201、送信機1202、プロセッサ1203、およびメモリ1204（端末デバイス1200には1つまたは複数のプロセッサ1203が存在する場合があり、図12では一例として1つのプロセッサが使用される）
を含む。本出願のいくつかの実施形態では、受信機1201、送信機1202、プロセッサ1203、およびメモリ1204は、互いに接続されていてよい。
【０２１５】
メモリ1204は、読取り専用メモリおよびランダムアクセスメモリを含み、プロセッサ1203に命令およびデータを供給することができる。メモリ1204はNVRAMをさらに含んでよい。メモリ1204は、オペレーティングシステムおよび動作命令、ならびに実行可能モジュールもしくはデータ構造、またはそのサブセットもしくは拡張セットを記憶し、動作命令は、様々な動作命令を含んでよく、様々な動作を実施するために使用される。オペレーティングシステムは様々なシステムプログラムを含んでよく、システムプログラムは、様々な基本サービスを実施し、ハードウェアベースのタスクを処理するために使用される。
【０２１６】
プロセッサ1203は、端末デバイスの動作を制御し、プロセッサ1203はCPUと呼ばれる場合もある。特定のアプリケーションでは、端末デバイスの構成要素はバスシステムを使用して一緒に結合される。データバスに加えて、バスシステムは、電力バス、制御バス、状態信号バスなどをさらに含んでよい。しかしながら、説明を明確にするために、図では様々なバスはバスシステムとしてマークされる。
【０２１７】
本出願の前述の実施形態で開示された方法は、プロセッサ1203に適用されるか、またはプロセッサ1203によって実施されてよい。プロセッサ1203は集積回路チップであってよく、信号処理能力を有する。実施プロセスでは、前述の方法におけるステップは、プロセッサ1203内のハードウェア集積論理回路を使用することにより、またはソフトウェアの形態の命令を使用することによって実施されてよい。プロセッサ1203は、汎用プロセッサ、DSP、ASIC、FPGAもしくは別のプログラマブル論理デバイス、個別ゲートもしくはトランジスタ論理デバイス、または個別ハードウェアアセンブリであってよい。プロセッサは、本出願の実施形態で開示された方法、ステップ、および論理ブロック図を実装または実行することができる。汎用プロセッサはマクロプロセッサであってよく、またはプロセッサは任意の従来のプロセッサなどであってよい。本出願の実施形態を参照して開示された方法のステップは、ハードウェア復号プロセッサを使用して直接実行および遂行されてもよく、復号プロセッサ内のハードウェアモジュールとソフトウェアモジュールの組合せを使用して実行および遂行されてもよい。ソフトウェアモジュールは、ランダムアクセスメモリ、フラッシュメモリ、読取り専用メモリ、プログラマブル読取り専用メモリ、電気的消去可能プログラマブルメモリ、レジスタなどの、当技術分野の成熟記憶媒体内に配置されてよい。記憶媒体はメモリ1204内に位置し、プロセッサ1203はメモリ1204内の情報を読み取り、プロセッサのハードウェアと組み合わせて前述の方法におけるステップを完了する。
【０２１８】
本出願のこの実施形態では、プロセッサ1203は、端末デバイス側で実行される前述の方法を実行するように構成される。
【０２１９】
別の可能な設計では、装置が端末内のチップであるとき、チップは処理ユニットおよび通信ユニットを含み、処理ユニットは、たとえば、プロセッサであってよく、通信ユニットは、たとえば、入出力インターフェース、ピン、または回路であってよい。処理ユニットは、記憶ユニットに記憶されたコンピュータ実行可能命令を実行して、端末内のチップが、第1の態様の可能な設計のいずれか1つに従って、ワイヤレス通信方法を実行することを可能にすることができる。場合によっては、記憶ユニットは、レジスタもしくはバッファなどのチップ内の記憶ユニットであってよく、または記憶ユニットは、読取り専用メモリ（read−only memory、ROM）、静的な情報および命令を記憶することが可能な別のタイプの静的ストレージデバイス、またはランダムアクセスメモリ（random access memory、RAM））などの、端末内であるがチップの外側にある記憶ユニットであってよい。
【０２２０】
前述されたプロセッサのいずれか1つは、汎用中央処理装置（CPU）、マイクロプロセッサ、特定用途向け集積回路（application−specific integrated circuit、ASIC）、または第1の態様のワイヤレス通信方法のプログラム実行を制御するように構成された1つもしくは複数の集積回路であってよい。
【０２２１】
加えて、記載された装置実施形態は単なる例であることに留意されたい。別々の部分として記載されたユニットは、物理的に分かれていてもいなくてもよく、ユニットとして表示された部分は、物理ユニットであってもそうでなくてもよく、1つの場所に配置されてもよく、複数のネットワークユニット上に分散されてもよい。一部またはすべてのモジュールは、実施形態の解決策の目的を達成するために、実際の必要に基づいて選択されてよい。加えて、本出願の装置実施形態の添付図面では、モジュール間の接続関係は、モジュールが互いとの通信接続を有し、それらが、具体的に、1つまたは複数の通信バスまたは信号ケーブルとして実装されてよいことを示す。
【０２２２】
前述の実装形態の説明に基づいて、当業者は、本出願が必要な汎用ハードウェアに加えてソフトウェアにより、または専用集積回路、専用CPU、専用メモリ、専用構成要素などを含む専用ハードウェアによって実装されてよいことを明確に理解することができる。一般に、コンピュータプログラムによって実行することができるいかなる機能も、対応するハードウェアを使用することによって容易に実装することができる。加えて、同じ機能を実現するために使用される具体的なハードウェア構造は、様々な形態、たとえば、アナログ回路、デジタル回路、専用回路などの形態であってよい。しかしながら、本出願に関しては、多くの場合、ソフトウェアプログラムの実装形態がよりよい実装形態である。そのような理解に基づいて、本出願の技術的解決策は本質的に、または従来技術に寄与する部分は、ソフトウェア製品の形態で実装されてよい。ソフトウェア製品は、コンピュータのフロッピー（登録商標）ディスク、USBフラッシュドライブ、リムーバブルハードディスク、読取り専用メモリ（ROM、Read−Only Memory）、ランダムアクセスメモリ（RAM、Random Access Memory）、磁気ディスク、または光ディスクなどの可読記憶媒体に記憶され、本出願の実施形態に記載された方法を実行するように、（パーソナルコンピュータ、サーバ、ネットワークデバイスなどであってよい）コンピュータデバイスに命令するための複数の命令を含む。
【０２２３】
前述の実施形態のすべてまたは一部は、ソフトウェア、ハードウェア、ファームウェア、またはそれらの任意の組合せを使用して実装されてよい。実施形態を実装するためにソフトウェアが使用されると、実施形態はコンピュータプログラム製品の形態で完全にまたは部分的に実装されてよい。
【０２２４】
コンピュータプログラム製品は1つまたは複数のコンピュータ命令を含む。コンピュータプログラム命令がコンピュータにロードされ実行されると、本出願の実施形態による手順または機能がすべてまたは部分的に生成される。コンピュータは、汎用コンピュータ、専用コンピュータ、コンピュータネットワーク、または別のプログラム可能な装置であってよい。コンピュータ命令は、コンピュータ可読記憶媒体に記憶されてもよく、コンピュータ可読記憶媒体から別のコンピュータ可読記憶媒体に送信されてもよい。たとえば、コンピュータ命令は、ウェブサイト、コンピュータ、サーバ、またはデータセンタから、別のウェブサイト、コンピュータ、サーバ、またはデータセンタに、有線（たとえば、同軸ケーブル、光ファイバ、もしくはデジタル加入者回線（DSL））、またはワイヤレス（たとえば、赤外線、無線、もしくはマイクロ波）で送信されてよい。コンピュータ可読記憶媒体は、コンピュータによってアクセス可能な任意の使用可能媒体、または1つもしくは複数の使用可能媒体を統合する、サーバもしくはデータセンタなどのデータストレージデバイスであってよい。使用可能媒体は、磁気媒体（たとえば、フロッピー（登録商標）ディスク、ハードディスク、または磁気ディスク）、光学媒体（たとえば、DVD）、半導体媒体（たとえば、ソリッドステートドライブSolid State Disk（SSD））などであってよい。
【符号の説明】
【０２２５】
900  ネットワークデバイス
901  処理モジュール
902  送信モジュール
1000  端末デバイス
1001  受信モジュール
1002  処理モジュール
1100  ネットワークデバイス
1101  受信機
1102  送信機
1103  プロセッサ
1104  メモリ
1200  端末デバイス
1201  受信機
1202  送信機
1203  プロセッサ
1204  メモリ
【図１】
2021503782.tif 000003
【図２】
2021503782.tif 000004
【図３】
2021503782.tif 000005
【図４】
2021503782.tif 000006
【図５】
2021503782.tif 000007
【図６】
2021503782.tif 000008
【図７】
2021503782.tif 000009
【図８】
2021503782.tif 000010
【図９】
2021503782.tif 000011
【図１０】
2021503782.tif 000012
【図１１】
2021503782.tif 000013
【図１２】
2021503782.tif 000014
【手続補正書】
【提出日】令和2年6月19日(2020.6.19)
【手続補正１】
【補正対象書類名】特許請求の範囲
【補正対象項目名】全文
【補正方法】変更
【補正の内容】
【特許請求の範囲】
【請求項１】
測定構成方法であって、
端末デバイスにより、基準信号構成、測定評価パラメータ、および測定トリガ情報を受信するステップであって、前記測定評価パラメータが、以下の情報：報告される必要がある測定量M、および測定イベントをトリガするための測定量T、の1つまたは組合せを備え、前記測定トリガ情報が、イベントトリガ情報または周期的な測定構成情報を備える、ステップと、
前記端末デバイスにより、前記基準信号構成、前記測定評価パラメータ、および前記測定トリガ情報に基づいて、測定および報告を実行するステップと
を備え、
測定および報告を実行する前記ステップが、
前記端末デバイスにより、報告される必要がある前記測定量M、または測定イベントをトリガするための前記測定量Tに基づいて、セル内のビームをソートおよび報告するステップ
を備える、測定構成方法。
【請求項２】
前記端末デバイスにより、報告される必要がある前記測定量M、または測定イベントをトリガするための前記測定量Tに基づいて、セル内のビームをソートおよび報告する前記ステップが、
前記端末デバイスにより、報告される必要がある前記測定量Mに基づいて、前記セル内の前記ビームをソートするステップと、
ソーティング結果に基づいてビームセットを報告するステップと
を備える、請求項1に記載の方法。
【請求項３】
前記端末デバイスにより、報告される必要がある前記測定量Mに基づいて、前記セル内の前記ビームをソートする前記ステップが、
前記端末デバイスが、前記報告された測定量がただ1つの測定量を備えると判断した場合、前記端末デバイスにより、前記測定量に基づいてビームソーティングを実行し、ビームソーティング結果に基づいて前記報告されるべきビームセットを決定するステップ
を備える、請求項2に記載の方法。
【請求項４】
前記端末デバイスにより、報告される必要がある前記測定量M、または測定イベントをトリガするための前記測定量Tに基づいて、セル内のビームをソートおよび報告する前記ステップが、
前記端末デバイスにより、測定イベントをトリガするための前記測定量Tに基づいて、前記セル内の前記ビームをソートするステップと、
ソーティング結果に基づいてビームセットを報告するステップと
を備える、請求項1から3のいずれか一項に記載の方法。
【請求項５】
前記端末デバイスにより、測定イベントをトリガするための前記測定量Tに基づいて、前記セル内の前記ビームをソートする前記ステップが、
イベントトリガ測定結果について、前記端末デバイスにより、測定イベントをトリガするための前記測定量Tに基づいて報告されるべきビームをソートするステップ
を備える、請求項4に記載の方法。
【請求項６】
測定および報告を実行する前記ステップが、
前記端末デバイスにより、報告されたビームのしきい値Hおよび最大量Xに基づいて、その測定量が前記しきい値Hより大きく、その量がX以下であるビームを報告するステップ
を備える、請求項1から5のいずれか一項に記載の方法。
【請求項７】
前記イベントトリガ情報が、被測定基準信号に基づいて測定および報告をトリガするように、前記端末デバイスに指示するために使用されるか、または
前記周期的な測定構成情報が、周期に基づいて測定および報告をトリガするように、前記端末デバイスに指示するために使用される、
請求項1から6のいずれか一項に記載の方法。
【請求項８】
測定構成方法であって、
ネットワークデバイスにより、端末デバイス用の基準信号構成、測定評価パラメータ、および測定トリガ情報を構成するステップであって、前記測定評価パラメータが、以下の情報：報告される必要がある測定量Mおよび測定イベントをトリガするための測定量Tの1つまたは組合せを備え、前記測定トリガ情報が、イベントトリガ情報または周期的な測定構成情報を備える、ステップと、
前記ネットワークデバイスにより、前記端末デバイスによって報告された情報を受信するステップであって、前記報告された情報が、報告される必要がある前記測定量M、または測定イベントをトリガするための前記測定量Tに基づいてセル内のビームがソートされた後に取得される、ステップと
を備える、測定構成方法。
【請求項９】
前記報告された測定量Mがただ1つの測定量を備える、請求項8に記載の方法。
【請求項１０】
前記報告された情報が、その測定量がしきい値Hより大きく、その量がX以下であるビームに関する情報を備える、
請求項8または9に記載の方法。
【請求項１１】
請求項1から7のいずれか一項に記載の方法を実行するように構成された、端末装置。
【請求項１２】
請求項8から10のいずれか一項に記載の方法を実行するように構成された、ネットワーク装置。
【請求項１３】
請求項11に記載の端末装置と、請求項12に記載のネットワーク装置とを備える、通信システム。
【請求項１４】
命令を備えるコンピュータ可読記憶媒体であって、前記命令がコンピュータ上で実行されると、前記コンピュータが請求項1から9のいずれか一項に記載の方法を実行する、コンピュータ可読記憶媒体。
【請求項１５】
命令を備えるコンピュータ可読記憶媒体であって、前記命令がコンピュータ上で実行されると、前記コンピュータが請求項7から9のいずれか一項に記載の方法を実行する、コンピュータ可読記憶媒体。
【手続補正２】
【補正対象書類名】明細書
【補正対象項目名】０００３
【補正方法】変更
【補正の内容】
【０００３】
現在、第5世代（5th Generation、5G）のモバイル通信技術に関する説明では、2つのタイプの基準信号：同期信号（Synchronization Signal、SS）およびチャネル状態情報基準信号（Channel State Information−Reference Signals、CSI−RS）が存在する。SSはセルの同期信号であり、UEは、同期信号の測定に基づいてセルの測定品質を取得することができる。CSI−RSはUE用に構成された基準信号であり、UEは、CSI−RSの測定に基づいてセルの品質を取得することもできる。
【手続補正３】
【補正対象書類名】明細書
【補正対象項目名】０００６
【補正方法】変更
【補正の内容】
【０００６】
従来技術では、ユーザ機器（User Equipment、UE）が周波数間測定を実行するとき、測定ギャップ（GAP）が構成される必要がある。測定ギャップでは、以下の構成が必要である：現在の動作周波数は割り込み状態にある。同時に2つの周波数上での動作をサポートしないUEの場合、UEが非動作周波数上で測定を実行する必要がある場合、動作周波数は中断される必要があり、次いで、UEの測定ギャップ内にターゲット周波数が測定される。たとえば、測定ギャップは6ミリ秒（ms）であってよく、発生周期は、40ms、80msなどに設定されてよい。すなわち、40msまたは80msごとに、UEは6msの間現在のセルに割り込んでターゲット周波数を測定することができる。UEは、アクティブなBWPによって制限されることなく、測定ギャップ内の任意の帯域幅部分（Bandwidth Part、BWP）の基準信号を測定することができる。
【手続補正４】
【補正対象書類名】明細書
【補正対象項目名】００１３
【補正方法】変更
【補正の内容】
【００１３】
本出願の第1の態様の可能な設計では、方法は、ネットワークデバイスにより、第1のギャップの周期および第1のギャップのオフセットに基づいて第1のギャップの開始時間を計算するステップと、ネットワークデバイスにより、第1のギャップの開始時間および第1のギャップの長さに基づいて第1のギャップの持続時間を計算するステップと、ネットワークデバイスにより、基準信号の周波数領域位置が第1のギャップの持続時間内でアクティブなBWPの帯域幅範囲内にあるかどうかを判定するステップと、基準信号の周波数領域位置が第1のギャップの持続時間内でアクティブなBWPの帯域幅範囲内にある場合、ネットワークデバイスにより、第1のギャップを非アクティブ化することを決定するステップとをさらに含む。本出願のこの実施形態では、ネットワークデバイスが第1のギャップの持続時間を決定した後、ネットワークデバイスは、基準信号の周波数領域位置が第1のギャップの持続時間内でアクティブなBWPの帯域幅範囲内にあるかどうかを判定することができ、基準信号の周波数領域位置が第1のギャップの持続時間内でアクティブなBWPの帯域幅範囲内にある場合、ネットワークデバイスは、第1のギャップを非アクティブ化することを決定する。第1のギャップが非アクティブ化された場合、第1のギャップは再開される必要がなく、それにより、ギャップの開始時間が短縮される。
【手続補正５】
【補正対象書類名】明細書
【補正対象項目名】００２４
【補正方法】変更
【補正の内容】
【００２４】
本出願の第2の態様の可能な設計では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含み、端末デバイスにより、基準信号に基づいてセルの品質を取得するステップは、端末デバイスにより、端末デバイス用に構成されたBWPのアクティブ化時間周期および端末デバイス用に構成されたBWPのアクティブ化時間オフセットに基づいて、端末デバイス用に構成されたBWPの開始時間を特定するステップと、端末デバイスにより、端末デバイス用に構成されたBWPの開始時間から、端末デバイス用に構成されたアクティブ化時間長内にあり、基準信号に対応するセルの品質を取得するステップとを含む。
【手続補正６】
【補正対象書類名】明細書
【補正対象項目名】００３６
【補正方法】変更
【補正の内容】
【００３６】
本出願の第3の態様では、ネットワークデバイスのコンポーネントモジュールは、第1の態様および様々な可能な設計に記載されたステップを実行することもできる。詳細については、第1の態様および様々な可能な設計の説明を参照されたい。
【手続補正７】
【補正対象書類名】明細書
【補正対象項目名】００４５
【補正方法】変更
【補正の内容】
【００４５】
本出願の第4の態様では、端末デバイスのコンポーネントモジュールは、第2の態様および様々な可能な設計に記載されたステップを実行することもできる。詳細については、第2の態様および様々な可能な設計の説明を参照されたい。
【手続補正８】
【補正対象書類名】明細書
【補正対象項目名】００４６
【補正方法】変更
【補正の内容】
【００４６】
第5の態様によれば、本出願の一実施形態はネットワークデバイスを提供する。ネットワークデバイスはプロセッサおよびメモリを含み、メモリは命令を記憶するように構成され、プロセッサはメモリ内の命令を実行するように構成され、その結果、ネットワークデバイスは、第1の態様または第1の態様の可能な設計のいずれか1つによる方法を実行する。
【手続補正９】
【補正対象書類名】明細書
【補正対象項目名】００４７
【補正方法】変更
【補正の内容】
【００４７】
第6の態様によれば、本出願の一実施形態は端末デバイスを提供する。端末デバイスはプロセッサおよびメモリを含み、メモリは命令を記憶するように構成され、プロセッサはメモリ内の命令を実行するように構成され、その結果、端末デバイスは、第2の態様または第2の態様の可能な設計のいずれか1つによる方法を実行する。
【手続補正１０】
【補正対象書類名】明細書
【補正対象項目名】００５１
【補正方法】変更
【補正の内容】
【００５１】
【図１】本出願の一実施形態による、基準信号処理方法が適用されるシステムの概略アーキテクチャ図である。
【図２】本出願の一実施形態による、基準信号処理方法の概略ブロックフローチャートである。
【図３】本出願の一実施形態による、別の基準信号処理方法の概略ブロックフローチャートである。
【図４】本出願の一実施形態による、BWP実装形態の概略図である。
【図５】本出願の一実施形態による、基準信号構成方式の概略図である。
【図６】本出願の一実施形態による、別の基準信号構成方式の概略図である。
【図７】本出願の一実施形態による、また別の基準信号構成方式の概略図である。
【図８】本出願の一実施形態による、さらに別の基準信号構成方式の概略図である。
【図９】本出願の一実施形態による、ネットワークデバイスの概略構造図である。
【図１０】本出願の一実施形態による、端末デバイスの概略構造図である。
【図１１】本出願の一実施形態による、別のネットワークデバイスの概略構造図である。
【図１２】本出願の一実施形態による、別の端末デバイスの概略構造図である。
【手続補正１１】
【補正対象書類名】明細書
【補正対象項目名】００５５
【補正方法】変更
【補正の内容】
【００５５】
本出願に記載される技術は、ロングタームエボリューション（Long Term Evolution、LTE）システム、または様々な無線アクセス技術を使用する別のワイヤレス通信システム、たとえば、符号分割多元接続、周波数分割多元接続、時分割多元接続、直交周波数分割多元接続、もしくはシングルキャリア周波数分割多元接続を使用するシステムに適用されてよい。加えて、これらの技術は、新無線（New Radio、NR）システムを含む第5世代5G（5th generation、5G）システム、発展型LTE（evolved LTE）システムなどの、LTEシステムの次の発展型システムにさらに適用されてよい。
【手続補正１２】
【補正対象書類名】明細書
【補正対象項目名】００５６
【補正方法】変更
【補正の内容】
【００５６】
図1は、本出願の一実施形態によるシステムの概略構造図である。システムはネットワークデバイスおよび端末デバイスを含んでよく、1つまたは複数の端末デバイスが存在してよい。本出願の端末デバイスは、ワイヤレス通信機能を実現するハンドヘルドデバイス、車載デバイス、ウェアラブルデバイス、もしくはコンピューティングデバイス、ワイヤレスモデムに接続された別の処理デバイス、または、移動局（Mobile station、MS）、端末（terminal）、端末デバイス（Terminal Device）などを含む様々な形態のユーザ機器（User Equipment、UE）を含んでよい。説明を簡単にするために、本出願では、上述されたデバイスはユーザ機器またはUEと総称される。本出願のネットワークデバイスは、基地局（base station、略してBS）を含んでよく、ネットワークデバイスは、UEにワイヤレス通信機能を提供するために無線アクセスネットワークに配備される装置である。基地局は、様々な形態のマクロ基地局、マイクロ基地局、中継局、アクセスポイントなどを含んでよい。異なる無線アクセス技術を使用するシステムでは、基地局機能を有するデバイスは異なる名称を有してよい。たとえば、デバイスは、LTEシステムでは発展型ノードB（evolved NodeB、略してeNBまたはeNodeB）と呼ばれ、NRシステムではgNBと呼ばれ、第3世代3GシステムではノードB（NodeB）と呼ばれるなどである。
【手続補正１３】
【補正対象書類名】明細書
【補正対象項目名】００７８
【補正方法】変更
【補正の内容】
【００７８】
本出願のいくつかの実施形態では、ネットワークデバイスが第1のギャップの持続時間を決定した後、ネットワークデバイスは、基準信号の周波数領域位置が第1のギャップの持続時間内でアクティブなBWPの帯域幅範囲内にあるかどうかを判定することができ、基準信号の周波数領域位置が第1のギャップの持続時間内でアクティブなBWPの帯域幅範囲内にある場合、ネットワークデバイスは、第1のギャップを非アクティブ化することを決定する。第1のギャップが非アクティブ化された場合、第1のギャップは再開される必要がなく、それにより、ギャップの開始時間が短縮される。
【手続補正１４】
【補正対象書類名】明細書
【補正対象項目名】０１０２
【補正方法】変更
【補正の内容】
【０１０２】
本出願のいくつかの実施形態では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含む。ステップ303において、端末デバイスにより、基準信号に基づいてセルの品質を取得するステップは、具体的に、以下の、
端末デバイスにより、端末デバイス用に構成されたBWPのアクティブ化時間周期および端末デバイス用に構成されたBWPのアクティブ化時間オフセットに基づいて、端末デバイス用に構成されたBWPの開始時間を特定するステップと、
端末デバイスにより、端末デバイス用に構成されたBWPの開始時間から、端末デバイス用に構成されたアクティブ化時間長内にあり、基準信号に対応するセルの品質を取得するステップと
を含んでよい。
【手続補正１５】
【補正対象書類名】明細書
【補正対象項目名】０１０７
【補正方法】変更
【補正の内容】
【０１０７】
本出願のいくつかの実施形態では、BWP構成情報は、BWPの数がNであり、Nが2以上であり、N個のBWPの各々の帯域幅が構成された被測定基準信号を含むことをさらに含み、ステップ303において、端末デバイスにより、基準信号に基づいてセルの品質を取得するステップは、
端末デバイスにより、測定期間内に、サンプリング時点でアクティブ化されたBWPの帯域幅範囲内の基準信号に対応するM個のサンプリング結果を取得するステップであって、Mが正の整数である、ステップと、
端末デバイスにより、M個のサンプリング結果に基づいてセルの品質を計算するステップと
を含む。
【手続補正１６】
【補正対象書類名】明細書
【補正対象項目名】０１０９
【補正方法】変更
【補正の内容】
【０１０９】
さらに、本出願のいくつかの実施形態では、ステップ303において、端末デバイスにより、M個のサンプリング結果に基づいてセルの品質を計算するステップは、
端末デバイスにより、M個のサンプリング結果からH個のサンプリング結果を抽出するステップであって、HがMより小さく、H個のサンプリング結果が、第1のBWPに対応する基準信号をサンプリングすることによって取得されたサンプリング結果であり、第1のBWPがデフォルトのBWPまたは最初のBWPである、ステップと、
端末デバイスにより、H個のサンプリング結果に基づいてセルの品質を計算するステップと
を含む。
【手続補正１７】
【補正対象書類名】明細書
【補正対象項目名】０１１５
【補正方法】変更
【補正の内容】
【０１１５】
図5は、本出願の一実施形態による、基準信号構成方式の概略図である。構成方式は、主に以下のプロセスを含んでよい。
【手続補正１８】
【補正対象書類名】明細書
【補正対象項目名】０１１６
【補正方法】変更
【補正の内容】
【０１１６】
ステップ10：ネットワークデバイスが、BWP構成情報および被測定基準信号構成情報を端末デバイスに送信する。端末デバイスは、ネットワークデバイスによって構成されたBWPセットを受信し、BWPセットはBWP構成情報の1つまたは複数のピースを含む。少なくとも1つのBWPは対応する基準信号を含む。基準信号はSSまたはCSI−RSである。被測定基準信号情報はSS情報またはCSI−RS情報であってよい。基準信号構成情報は、SSタイプまたはCSI−RSタイプなどの基準情報タイプであってよい。基準信号構成情報は、基準信号の周期および／または周波数領域位置をさらに含んでよい。
【手続補正１９】
【補正対象書類名】明細書
【補正対象項目名】０１１９
【補正方法】変更
【補正の内容】
【０１１９】
端末デバイスは、計算されたGAP開始時間およびGAP長情報に基づいてGAPの時間位置を特定する。GAP長情報は、固定長、たとえば6ms、または端末デバイスのためにネットワークデバイスによって構成された長さ、たとえば3msであってよい。
【手続補正２０】
【補正対象書類名】明細書
【補正対象項目名】０１２１
【補正方法】変更
【補正の内容】
【０１２１】
GAPパラメータは、GAP内で、基準信号関連付け情報に関連付けられた基準信号を測定するように端末デバイスに指示するために、GAPに対応する基準信号関連付け情報をさらに含む。基準信号関連付け情報は、具体的に、周波数情報であってよい。基準信号関連付け情報に関連付けられた基準情報は、周波数に含まれる基準信号であってよい。
【手続補正２１】
【補正対象書類名】明細書
【補正対象項目名】０１２３
【補正方法】変更
【補正の内容】
【０１２３】
端末デバイスは、GAPの時間位置においてサービングセルまたはアクティブなBWP向けの受信および送信を中断する必要があるかどうかを判定する必要がある。GAPの時間位置において、端末デバイスのアクティブなBWPおよび被測定基準信号が第1の所定の条件を満たす場合、端末デバイスは、GAPを非アクティブ化することを決定する、すなわち、サービングセルまたはアクティブなBWP向けのデータ受信およびデータ送信は中断される必要がない。そうでない場合、端末デバイスは、GAPがアクティブ化される必要がある、すなわち、サービングセルまたはアクティブなBWP向けのデータ受信およびデータ送信が中断される必要があると判断する。
【手続補正２２】
【補正対象書類名】明細書
【補正対象項目名】０１２４
【補正方法】変更
【補正の内容】
【０１２４】
第1の所定の条件は以下を含む：被測定基準信号の周波数領域位置がアクティブなBWPの帯域幅範囲内にある。アクティブなBWPと被測定基準信号の中心周波数が同じである。アクティブなBWPと被測定基準信号のサブキャリア間隔が同じである。
【手続補正２３】
【補正対象書類名】明細書
【補正対象項目名】０１２８
【補正方法】変更
【補正の内容】
【０１２８】
図6は、本出願の一実施形態による、別の基準信号構成方式の概略図である。構成方式は、主に以下のステップを含む。
【手続補正２４】
【補正対象書類名】明細書
【補正対象項目名】０１３６
【補正方法】変更
【補正の内容】
【０１３６】
図7は、本出願の一実施形態による、また別の基準信号構成方式の概略図である。構成方式は、主に以下のプロセスを含む。
【手続補正２５】
【補正対象書類名】明細書
【補正対象項目名】０１４３
【補正方法】変更
【補正の内容】
【０１４３】
ステップ32：端末デバイスが基準信号構成情報に基づいてセルの品質を取得する。
【手続補正２６】
【補正対象書類名】明細書
【補正対象項目名】０１４６
【補正方法】変更
【補正の内容】
【０１４６】
測定期間内に、端末デバイスは、アクティブなBWPに含まれる基準信号に基づいてサンプリング結果を取得する。端末デバイスが測定期間内に複数のアクティブなBWPを有する場合、複数のBWPの測定サンプルが存在してよい。端末デバイスはこれらのサンプルに基づいてセルの品質を取得する。端末デバイスはこの期間内にN個のサンプリング値を有してよい。M個のサンプリング値がセルの品質を計算するために必要であり、MがN以下である場合、Mは、以下の規則：デフォルトのBWPおよび最初のBWPのサンプリング基本設定に従ってNから選択されてよい。デフォルトのBWPは端末デバイスのためにネットワークデバイスによって構成され、最初のBWPは、端末デバイスが最初のアクセス中に使用されるBWPである。
【手続補正２７】
【補正対象書類名】明細書
【補正対象項目名】０１５１
【補正方法】変更
【補正の内容】
【０１５１】
図8は、本出願の一実施形態による、さらに別の基準信号構成方式の概略図である。構成方式は、主に以下のプロセスを含む。
【手続補正２８】
【補正対象書類名】明細書
【補正対象項目名】０１５４
【補正方法】変更
【補正の内容】
【０１５４】
ネットワークデバイスは、端末デバイス用の測定評価パラメータをさらに構成し、測定評価パラメータは、以下の構成情報の少なくとも1つまたは組合せを含む。
セル測定結果の計算に使用される最大ビーム量N（セル測定結果はビーム測定結果を組み合わせることによって取得される）、場合によっては、最大ビーム量が構成されていない場合、端末デバイスはデフォルトでN＝1を使用してよい。
セル測定結果の計算に使用される測定しきい値（H）。
ビームソーティング用の測定量（Q）、たとえば、ビームソーティング用の測定量は、基準信号受信電力（Reference Signal Received Power、RSRP）、基準信号受信品質（Reference Signal Receiving Quality、RSRQ）、または、ビームの信号対干渉プラスノイズ比（Signal to Interference plus Noise Ratio、SINR）であってよく、現在、ビーム測定結果に基づいてセル測定結果を計算することも、ビーム測定結果を報告することも、最良のビームセットを選択するためにビームソーティングを実行する必要があり、しかしながら、RSRP、RSRQ、またはSINRに基づいてソーティングが実行されると、最良のビームセットに含まれるビームが変更される場合があり、この場合、ソーティングに使用される測定量が指定されている場合、セル測定結果の計算に使用されるビームセットまたはビーム報告に対応するビームセットが一意に決定される。
報告される必要がある測定量（M）：RSRQ、RSRP、またはSINRのうちの1つまたは任意の組合せ。
測定イベントのトリガリングの基礎となる測定量を決定するために端末デバイスによって使用される、測定イベントをトリガするための測定量（T）。
【手続補正２９】
【補正対象書類名】明細書
【補正対象項目名】０１５５
【補正方法】変更
【補正の内容】
【０１５５】
ビームソーティング用の測定量（Q）、測定イベントをトリガするための測定量（T）、および報告される必要がある測定量（M）は、測定対象内で構成されることに限定されず、代替として、Q、T、およびMが属する端末デバイスに測定構成を介してネットワークデバイスによって送信されてよい。たとえば、Q、T、およびMは、測定構成および報告構成、測定量構成、または測定トリガ構成内で搬送される。本出願では制限は課されない。
【手続補正３０】
【補正対象書類名】明細書
【補正対象項目名】０１５６
【補正方法】変更
【補正の内容】
【０１５６】
ステップ41：ネットワークデバイスが、端末デバイス用の測定トリガ情報を構成し、測定トリガ情報は、イベントトリガ情報または周期的な測定構成情報を含み、イベントトリガ情報は、被測定基準信号に基づいて測定および報告をトリガするように端末デバイスに指示するために使用され、周期的な測定構成情報は、周期に基づいて測定および報告を実行するように端末デバイスに指示するために使用される。
【手続補正３１】
【補正対象書類名】明細書
【補正対象項目名】０１５７
【補正方法】変更
【補正の内容】
【０１５７】
測定イベントは、測定ターゲットと測定基準を比較するために使用される。比較結果が所定の条件を満たすとき、測定結果は報告される必要があると判断される。測定ターゲットは、サービングセルまたは隣接セルであってよい。測定基準は、サービングセル側の測定信号しきい値または測定結果であってよい。端末デバイスは、測定ターゲットに対応するセルの測定結果を最初に特定し、次いで、測定イベントがトリガされたかどうかを判定する必要がある。たとえば、測定ターゲットが測定対象1に含まれるセルである場合、端末デバイスは、測定対象1に対応する周波数上でセルを探索し、セル測定結果を測定基準と比較する。セル測定結果が測定基準より大きいかまたは小さい場合、測定イベントがトリガされる。
【手続補正３２】
【補正対象書類名】明細書
【補正対象項目名】０１７２
【補正方法】変更
【補正の内容】
【０１７２】
具体的には、端末デバイスは、しきい値Hおよび報告されたビームの最大量Xに基づいて、その測定量がしきい値Hより大きく、その量がX以下のビームを報告することを決定する。Xは端末デバイスのためにネットワークデバイスによって指定された報告量である。端末デバイスは、各ビームに対応する測定結果をネットワークデバイス側に報告する。
【手続補正３３】
【補正対象書類名】明細書
【補正対象項目名】０１７６
【補正方法】変更
【補正の内容】
【０１７６】
場合によっては、端末デバイスは、報告された測定量（M）の構成に基づいてセル内のビームをソートする。測定量（M）が1つの測定量のみを含むと端末デバイスが判断した場合、端末デバイスは、測定量に基づいてビームソーティングを実行し、ビームソーティング結果に基づいて、セルの品質を計算するか、または報告されるべきビームセットを決定する。
【手続補正３４】
【補正対象書類名】明細書
【補正対象項目名】０１７８
【補正方法】変更
【補正の内容】
【０１７８】
説明を簡単にするために、前述の方法実施形態は一連の動作として表されたことに留意されたい。しかしながら、本出願によれば、いくつかのステップは他の順序で、または同時に実行されてよいので、本出願は、記載された順序の動作に限定されないことを、当業者は知るべきである。本開示に記載された関連する動作およびモジュールは必ずしも本出願によって必要とされていないことも、当業者は知るべきである。
【手続補正３５】
【補正対象書類名】明細書
【補正対象項目名】０１８４
【補正方法】変更
【補正の内容】
【０１８４】
本出願のいくつかの実施形態では、処理モジュール901は、端末デバイス用に構成された第1のギャップの周期および第1のギャップのオフセットを決定するようにさらに構成され、第1のギャップは基準信号を送信するためにネットワークデバイスによって使用される。
【手続補正３６】
【補正対象書類名】明細書
【補正対象項目名】０１８６
【補正方法】変更
【補正の内容】
【０１８６】
本出願のいくつかの実施形態では、処理モジュール901は、第1のギャップの周期および第1のギャップのオフセットに基づいて第1のギャップの開始時間を計算することと、第1のギャップの開始時間および第1のギャップの長さに基づいて第1のギャップの持続時間を計算することと、基準信号の周波数領域位置が第1のギャップの持続時間内でアクティブなBWPの帯域幅範囲内にあるかどうかを判定することと、基準信号の周波数領域位置が第1のギャップの持続時間内でアクティブなBWPの帯域幅範囲内にある場合、第1のギャップを非アクティブ化することを決定することとを行うように構成される。
【手続補正３７】
【補正対象書類名】明細書
【補正対象項目名】０１８７
【補正方法】変更
【補正の内容】
【０１８７】
本出願のいくつかの実施形態では、基準信号構成情報は、以下のパラメータ：基準信号のタイプパラメータ、基準信号の周期パラメータ、および基準信号の周波数領域位置パラメータのうちの少なくとも1つを含む。
【手続補正３８】
【補正対象書類名】明細書
【補正対象項目名】０１８８
【補正方法】変更
【補正の内容】
【０１８８】
本出願のいくつかの実施形態では、BWP構成情報は、少なくとも1つのBWPの周波数情報および少なくとも1つのBWPの帯域幅情報を含む。
【手続補正３９】
【補正対象書類名】明細書
【補正対象項目名】０１８９
【補正方法】変更
【補正の内容】
【０１８９】
本出願のいくつかの実施形態では、BWP構成情報は、基準信号と少なくとも1つのBWPとの間の対応関係を含む。
【手続補正４０】
【補正対象書類名】明細書
【補正対象項目名】０１９０
【補正方法】変更
【補正の内容】
【０１９０】
本出願のいくつかの実施形態では、BWP構成情報はBWPのアクティブ化時間情報を含み、
BWPのアクティブ化時間情報は、以下のパラメータ：少なくとも1つのBWPのアクティブ化時間周期および少なくとも1つのBWPのアクティブ化時間オフセットのうちの少なくとも1つを含む。
【手続補正４１】
【補正対象書類名】明細書
【補正対象項目名】０１９１
【補正方法】変更
【補正の内容】
【０１９１】
本出願のいくつかの実施形態では、処理モジュール901は、少なくとも1つのBWPのアクティブ化時間周期および少なくとも1つのBWPのアクティブ化時間オフセットに基づいて、少なくとも1つのBWPの開始時間を計算するように構成される。
【手続補正４２】
【補正対象書類名】明細書
【補正対象項目名】０１９７
【補正方法】変更
【補正の内容】
【０１９７】
本出願のいくつかの実施形態では、受信モジュール1001は、ネットワークデバイスによって送信されたギャップ構成情報を取得するようにさらに構成され、ギャップ構成情報は第1のギャップの周期情報および第1のギャップのオフセット情報を含む。
【手続補正４３】
【補正対象書類名】明細書
【補正対象項目名】０１９９
【補正方法】変更
【補正の内容】
【０１９９】
本出願のいくつかの実施形態では、処理モジュール1002は、アクティブなBWPを特定することであって、アクティブなBWPが端末デバイス用に構成されたBWPの中の1つまたは複数のBWPである、特定することと、端末デバイスが第1のギャップの持続時間を特定した後、基準信号の周波数領域位置がアクティブなBWPの帯域幅範囲内にあるかどうかを判定することと、基準信号の周波数領域位置がアクティブなBWPの帯域幅範囲内にある場合、第1のギャップを非アクティブ化し、アクティブなBWPに対応する基準信号に基づいてセルの品質を取得することとを行うように構成される。
【手続補正４４】
【補正対象書類名】明細書
【補正対象項目名】０２００
【補正方法】変更
【補正の内容】
【０２００】
本出願のいくつかの実施形態では、基準信号の周波数領域位置がアクティブなBWPの帯域幅範囲内にあるかどうかを判定した後、処理モジュール1002は、基準信号の周波数領域位置がアクティブなBWPの帯域幅範囲内にない場合、第1のギャップをアクティブ化し、アクティブ化された第1のギャップ内にあり、基準信号に対応するセルの品質を取得するように構成される。
【手続補正４５】
【補正対象書類名】明細書
【補正対象項目名】０２０１
【補正方法】変更
【補正の内容】
【０２０１】
本出願のいくつかの実施形態では、BWP構成情報はBWPのアクティブ化時間情報をさらに含み、BWPのアクティブ化時間情報は、端末デバイス用に構成されたBWPのアクティブ化時間周期および端末デバイス用に構成されたBWPのアクティブ化時間オフセットを含む。処理モジュール1002は、端末デバイス用に構成されたBWPのアクティブ化時間周期および端末デバイス用に構成されたBWPのアクティブ化時間オフセットに基づいて、端末デバイス用に構成されたBWPの開始時間を特定することと、端末デバイス用に構成されたBWPの開始時間から、端末デバイス用に構成されたアクティブ化時間長内にあり、基準信号に対応するセルの品質を取得することとを行うように構成される。
【手続補正４６】
【補正対象書類名】明細書
【補正対象項目名】０２０２
【補正方法】変更
【補正の内容】
【０２０２】
本出願のいくつかの実施形態では、アクティブ化時間長はBWPのアクティブ化時間情報に含まれるか、またはアクティブ化時間長は端末デバイスによってローカルに構成される。
【手続補正４７】
【補正対象書類名】明細書
【補正対象項目名】０２０３
【補正方法】変更
【補正の内容】
【０２０３】
本出願のいくつかの実施形態では、BWP構成情報は以下をさらに含む：BWPの量がNであり、Nが2以上であるとき、N個のBWPの各々の帯域幅は構成された被測定基準信号を含む。処理モジュール1002は、具体的に、測定期間内に、サンプリング時でアクティブ化されたBWPの帯域幅範囲内の基準信号に対応するM個のサンプリング結果を取得することであって、Mが正の整数である、取得することと、M個のサンプリング結果に基づいてセルの品質を計算することとを行うように構成される。
【手続補正４８】
【補正対象書類名】明細書
【補正対象項目名】０２０４
【補正方法】変更
【補正の内容】
【０２０４】
本出願のいくつかの実施形態では、処理モジュール1002は、具体的に、M個のサンプリング結果からH個のサンプリング結果を抽出することであって、HがMより小さく、H個のサンプリング結果が、第1のBWPに対応する基準信号をサンプリングすることによって取得されたサンプリング結果であり、第1のBWPがデフォルトのBWPまたは最初のBWPである、抽出することと、H個のサンプリング結果に基づいてセルの品質を計算することとを行うように構成される。
【手続補正４９】
【補正対象書類名】明細書
【補正対象項目名】０２０９
【補正方法】変更
【補正の内容】
【０２０９】
メモリ1104は、読取り専用メモリおよびランダムアクセスメモリを含み、プロセッサ1103に命令およびデータを供給することができる。メモリ1104の一部は、不揮発性ランダムアクセスメモリ（英語：Nonvolatile Random Access Memory、略してNVRAM）をさらに含んでよい。メモリ1104は、オペレーティングシステムおよび動作命令、ならびに実行可能モジュールもしくはデータ構造、またはそのサブセットもしくは拡張セットを記憶し、動作命令は、様々な動作命令を含んでよく、様々な動作を実施するために使用される。オペレーティングシステムは様々なシステムプログラムを含んでよく、システムプログラムは、様々な基本サービスを実施し、ハードウェアベースのタスクを処理するために使用される。
【手続補正５０】
【補正対象書類名】明細書
【補正対象項目名】０２１１
【補正方法】変更
【補正の内容】
【０２１１】
本出願の前述の実施形態で開示された方法は、プロセッサ1103に適用されるか、またはプロセッサ1103によって実施されてよい。プロセッサ1103は集積回路チップであってよく、信号処理能力を有する。実施プロセスでは、方法のステップは、プロセッサ1103内のハードウェアの集積論理回路により、またはソフトウェアの命令によって実施されてよい。プロセッサ1103は、汎用プロセッサ、デジタル信号プロセッサ（英語：digital signal processor、略してDSP）、特定用途向け集積回路（英語：Application−Specific Integrated Circuit、略してASIC）、フィールドプログラマブルゲートアレイ（英語：Field−Programmable Gate Array、略してFPGA）もしくは別のプログラマブル論理デバイス、個別ゲートもしくはトランジスタ論理デバイス、または個別ハードウェアアセンブリであってよい。プロセッサは、本出願の実施形態で開示された方法、ステップ、および論理ブロック図を実装または実行することができる。汎用プロセッサはマクロプロセッサであってよく、またはプロセッサは任意の従来のプロセッサなどであってよい。本出願の実施形態を参照して開示された方法のステップは、ハードウェア復号プロセッサを使用して直接実行および遂行されてもよく、復号プロセッサ内のハードウェアモジュールとソフトウェアモジュールの組合せを使用して実行および遂行されてもよい。ソフトウェアモジュールは、ランダムアクセスメモリ、フラッシュメモリ、読取り専用メモリ、プログラマブル読取り専用メモリ、電気的消去可能プログラマブルメモリ、レジスタなどの、当技術分野の成熟記憶媒体内に配置されてよい。記憶媒体はメモリ1104内に位置し、プロセッサ1103はメモリ1104内の情報を読み取り、プロセッサのハードウェアと組み合わせて前述の方法におけるステップを完了する。
【手続補正５１】
【補正対象書類名】明細書
【補正対象項目名】０２１９
【補正方法】変更
【補正の内容】
【０２１９】
別の可能な設計では、装置が端末内のチップであるとき、チップは処理ユニットおよび通信ユニットを含み、処理ユニットは、たとえば、プロセッサであってよく、通信ユニットは、たとえば、入出力インターフェース、ピン、または回路であってよい。処理ユニットは、記憶ユニットに記憶されたコンピュータ実行可能命令を実行して、端末内のチップが、可能な設計のいずれか1つに従って、基準信号処理方法を実行することを可能にすることができる。場合によっては、記憶ユニットは、レジスタもしくはバッファなどのチップ内の記憶ユニットであってよく、または記憶ユニットは、読取り専用メモリ（read−only memory、ROM）、静的な情報および命令を記憶することが可能な別のタイプの静的ストレージデバイス、またはランダムアクセスメモリ（random access memory、RAM））などの、端末内であるがチップの外側にある記憶ユニットであってよい。
【手続補正５２】
【補正対象書類名】明細書
【補正対象項目名】０２２０
【補正方法】変更
【補正の内容】
【０２２０】
前述されたプロセッサのいずれか1つは、汎用中央処理装置（CPU）、マイクロプロセッサ、特定用途向け集積回路（application−specific integrated circuit、ASIC）、または基準信号処理方法のプログラム実行を制御するように構成された1つもしくは複数の集積回路であってよい。
【手続補正５３】
【補正対象書類名】明細書
【補正対象項目名】０２２４
【補正方法】変更
【補正の内容】
【０２２４】
コンピュータプログラム製品は1つまたは複数のコンピュータ命令を含む。コンピュータプログラム命令がコンピュータにロードされ実行されると、本出願の実施形態による手順または機能がすべてまたは部分的に生成される。コンピュータは、汎用コンピュータ、専用コンピュータ、コンピュータネットワーク、または別のプログラム可能な装置であってよい。コンピュータ命令は、コンピュータ可読記憶媒体に記憶されてもよく、コンピュータ可読記憶媒体から別のコンピュータ可読記憶媒体に送信されてもよい。たとえば、コンピュータ命令は、ウェブサイト、コンピュータ、サーバ、またはデータセンタから、別のウェブサイト、コンピュータ、サーバ、またはデータセンタに、有線（たとえば、同軸ケーブル、光ファイバ、もしくはデジタル加入者回線（DSL））、またはワイヤレス（たとえば、赤外線、無線、もしくはマイクロ波）で送信されてよい。コンピュータ可読記憶媒体は、コンピュータによってアクセス可能な任意の使用可能媒体、または1つもしくは複数の使用可能媒体を統合する、サーバもしくはデータセンタなどのデータストレージデバイスであってよい。使用可能媒体は、磁気媒体（たとえば、フロッピーディスク、ハードディスク、または磁気ディスク）、光学媒体（たとえば、DVD）、半導体媒体（たとえば、ソリッドステートドライブ（SSD））などであってよい。
【国際調査報告】
2021503782.tif 000015
2021503782.tif 000016
2021503782.tif 000017
2021503782.tif 000018
2021503782.tif 000019
2021503782.tif 000020